(57)【要約】【課題】発電事業者に電力供給の抑制または電力需要の制御に関する内容を適切に割り当てることが可能な電力管理装置、発電制御装置、表示装置、電力管理方法、発電制御方法、表示制御方法、電力管理プログラム、発電制御プログラムおよび表示制御プログラムを提供する。【解決手段】電力管理装置は、装置を用いた電力の供給または需要についての過去の制御に関する制御履歴情報を取得する取得部と、電力系統側から前記供給または前記需要の第１制御指令を受けて、前記取得部によって取得された前記制御履歴情報に基づいて、前記供給または前記需要の制御に関する内容を示す制御情報を作成する情報作成部とを備える。【選択図】図６
2017011988.tif 000002
【特許請求の範囲】
【請求項１】
装置を用いた電力の供給または需要についての過去の制御に関する制御履歴情報を取得する取得部と、
電力系統側から前記供給または前記需要の第１制御指令を受けて、前記取得部によって取得された前記制御履歴情報に基づいて、前記供給または前記需要の制御に関する内容を示す制御情報を作成する情報作成部とを備える、電力管理装置。
【請求項２】
前記情報作成部は、前記供給または前記需要の制御に関する内容として、前記供給または前記需要を制御する複数の候補者を示す前記制御情報を作成する、請求項１に記載の電力管理装置。
【請求項３】
前記情報作成部は、前記制御履歴情報に基づいて、前記供給または前記需要の制御を行うべき１または複数の対象者を決定し、前記供給または前記需要の制御に関する内容として、決定した前記対象者に対する前記供給または前記需要の第２制御指令を示す前記制御情報を作成する、請求項１または請求項２に記載の電力管理装置。
【請求項４】
前記電力管理装置は、さらに、
前記情報作成部によって作成された前記制御情報に基づいて、前記供給または前記需要の第２制御指令を、前記供給または前記需要の制御を行うべき１または複数の対象者に通知する通知部を備え、
前記制御履歴情報は、前記通知部によって前記対象者に通知された過去の前記第２制御指令の内容を含む、請求項１から請求項３のいずれか１項に記載の電力管理装置。
【請求項５】
前記情報作成部は、前記制御履歴情報に基づいて、前記供給もしくは前記需要の制御依頼時間の累積値または前記供給もしくは前記需要の制御依頼日数の累積値が所定のしきい値以上である者を、前記供給または前記需要を制御する対象者から除外する、請求項１から請求項４のいずれか１項に記載の電力管理装置。
【請求項６】
前記情報作成部は、前記供給または前記需要の過去の制御依頼時間、前記供給または前記需要の過去の制御量、前記供給または前記需要の過去の制御回数、前記供給または前記需要の過去の制御依頼日数、および、前記供給または前記需要の過去の制御依頼に対する達成度合いのうちの少なくともいずれか１つに基づいて前記制御情報を作成する、請求項１から請求項５のいずれか１項に記載の電力管理装置。
【請求項７】
装置を用いた電力の供給または需要について、電力系統側から前記供給または前記需要の第１制御指令を受けて、前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて、前記供給または前記需要の制御に関する内容を示す制御情報を作成する情報作成部を備える、電力管理装置。
【請求項８】
装置を用いた電力の供給または需要について、前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて作成された、前記供給または前記需要の制御に関する内容を示す制御情報に基づく画面情報を取得する取得部と、
前記取得部によって取得された前記画面情報の内容を表示する制御部とを備える、表示装置。
【請求項９】
再生可能エネルギーから電気を生成する発電装置を用いた電力の供給について、前記供給の過去の抑制に関する抑制履歴情報を取得する取得部と、
電力系統側から前記供給の第１抑制指令を受けて、前記取得部によって取得された前記抑制履歴情報に基づいて、前記供給の抑制に関する内容を示す出力抑制情報を作成する情報作成部とを備える、電力管理装置。
【請求項１０】
前記情報作成部は、前記供給の抑制に関する内容として、前記供給を抑制する複数の候補者を示す前記出力抑制情報を作成する、請求項９に記載の電力管理装置。
【請求項１１】
前記情報作成部は、前記抑制履歴情報に基づいて、前記供給の抑制を行うべき１または複数の対象者を決定し、前記供給の抑制に関する内容として、決定した前記対象者に対する前記供給の第２抑制指令を示す前記出力抑制情報を作成する、請求項９または請求項１０に記載の電力管理装置。
【請求項１２】
前記電力管理装置は、さらに、
前記情報作成部によって作成された前記出力抑制情報に基づいて、前記供給の第２抑制指令を、前記供給の抑制を行うべき１または複数の対象者に通知する通知部を備え、
前記抑制履歴情報は、前記通知部によって前記対象者に通知された過去の前記第２抑制指令の内容を含む、請求項９から請求項１１のいずれか１項に記載の電力管理装置。
【請求項１３】
前記情報作成部は、前記抑制履歴情報に基づいて、前記供給の抑制依頼時間の累積値または前記供給の抑制依頼日数の累積値が所定のしきい値以上である者を、前記供給を抑制する対象者から除外する、請求項９から請求項１２のいずれか１項に記載の電力管理装置。
【請求項１４】
前記情報作成部は、前記供給の過去の抑制依頼時間、前記供給の過去の抑制量、前記供給の過去の抑制回数、および前記供給の過去の抑制依頼日数のうちの少なくともいずれか１つに基づいて前記出力抑制情報を作成する、請求項９から請求項１３のいずれか１項に記載の電力管理装置。
【請求項１５】
前記情報作成部は、前記供給の抑制を許容する許容期間、および前記供給の抑制を許容しない非許容期間の少なくともいずれか一方に基づいて前記出力抑制情報を作成する、請求項９から請求項１４のいずれか１項に記載の電力管理装置。
【請求項１６】
前記情報作成部は、前記供給の抑制依頼時間の累積値または前記供給の抑制依頼日数の累積値の所定の上限値までの残りに基づいて前記出力抑制情報を作成する、請求項９から請求項１５のいずれか１項に記載の電力管理装置。
【請求項１７】
前記情報作成部は、前記電力系統側からの前記第１抑制指令の示す抑制期間を複数のサブ期間に分割し、前記サブ期間ごとの前記出力抑制情報を作成する、請求項９から請求項１６のいずれか１項に記載の電力管理装置。
【請求項１８】
前記情報作成部は、前記複数のサブ期間のうち、いずれかの前記サブ期間において前記供給を抑制する者を、他の前記サブ期間において前記供給を抑制する対象者から除外する、請求項１７に記載の電力管理装置。
【請求項１９】
前記情報作成部は、前記供給の抑制に関する内容として、前記発電装置の発電容量を基準とした抑制レベルを示す前記出力抑制情報を作成する、請求項９から請求項１８のいずれか１項に記載の電力管理装置。
【請求項２０】
再生可能エネルギーから電気を生成する発電装置を用いた電力の供給について、前記供給の過去の抑制に関する抑制履歴情報に基づいて作成された、前記供給の抑制に関する内容を示す出力抑制情報を取得する取得部と、
前記取得部によって取得された前記出力抑制情報に基づいて前記発電装置を制御する制御部とを備える、発電制御装置。
【請求項２１】
再生可能エネルギーから電気を生成する発電装置を用いた電力の供給について、前記供給の過去の抑制に関する抑制履歴情報に基づいて作成された、前記供給の抑制に関する内容を示す出力抑制情報に基づく画面情報を取得する取得部と、
前記取得部によって取得された前記画面情報の内容を表示する制御部とを備える、表示装置。
【請求項２２】
電力管理装置における電力管理方法であって、
装置を用いた電力の供給または需要について、電力系統側から前記供給または前記需要の第１制御指令を受けるステップと、
前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて、前記供給または前記需要の制御に関する内容を示す制御情報を作成するステップとを含む、電力管理方法。
【請求項２３】
表示装置における表示制御方法であって、
装置を用いた電力の供給または需要について、前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて作成された、前記供給または前記需要の抑制に関する内容を示す制御情報に基づく画面情報を取得するステップと、
取得した前記画面情報の内容を表示するステップとを含む、表示制御方法。
【請求項２４】
電力管理装置における電力管理方法であって、
再生可能エネルギーから電気を生成する発電装置を用いた電力の供給について、前記供給の過去の抑制に関する抑制履歴情報を取得するステップと、
電力系統側から前記供給の第１抑制指令を受けて、取得した前記抑制履歴情報に基づいて、前記供給の抑制に関する内容を示す出力抑制情報を作成するステップとを含む、電力管理方法。
【請求項２５】
発電制御装置における発電制御方法であって、
再生可能エネルギーから電気を生成する発電装置を用いた電力の供給について、前記供給の過去の抑制に関する抑制履歴情報に基づいて作成された、前記供給の抑制に関する内容を示す出力抑制情報を取得するステップと、
取得した前記出力抑制情報に基づいて前記発電装置を制御するステップとを含む、発電制御方法。
【請求項２６】
表示装置における表示制御方法であって、
再生可能エネルギーから電気を生成する発電装置を用いた電力の供給について、前記供給の過去の抑制に関する抑制履歴情報に基づいて作成された、前記供給の抑制に関する内容を示す出力抑制情報に基づく画面情報を取得するステップと、
取得した前記画面情報の内容を表示するステップとを含む、表示制御方法。
【請求項２７】
電力管理装置において用いられる電力管理プログラムであって、
コンピュータに、
装置を用いた電力の供給または需要について、電力系統側から前記供給または前記需要の第１制御指令を受けるステップと、
前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて、前記供給または前記需要の制御に関する内容を示す制御情報を作成するステップとを実行させるための、電力管理プログラム。
【請求項２８】
表示装置において用いられる表示制御プログラムであって、
コンピュータに、
装置を用いた電力の供給または需要について、前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて作成された、前記供給または前記需要の抑制に関する内容を示す制御情報に基づく画面情報を取得するステップと、
取得した前記画面情報の内容を表示するステップとを実行させるための、表示制御プログラム。
【請求項２９】
電力管理装置において用いられる電力管理プログラムであって、
コンピュータに、
再生可能エネルギーから電気を生成する発電装置を用いた電力の供給について、前記供給の過去の抑制に関する抑制履歴情報を取得するステップと、
電力系統側から前記供給の第１抑制指令を受けて、取得した前記抑制履歴情報に基づいて、前記供給の抑制に関する内容を示す出力抑制情報を作成するステップとを実行させるための、電力管理プログラム。
【請求項３０】
発電制御装置において用いられる発電制御プログラムであって、
コンピュータに、
再生可能エネルギーから電気を生成する発電装置を用いた電力の供給について、前記供給の過去の抑制に関する抑制履歴情報に基づいて作成された、前記供給の抑制に関する内容を示す出力抑制情報を取得するステップと、
取得した前記出力抑制情報に基づいて前記発電装置を制御するステップとを実行させるための、発電制御プログラム。
【請求項３１】
表示装置において用いられる表示制御プログラムであって、
コンピュータに、
再生可能エネルギーから電気を生成する発電装置を用いた電力の供給について、前記供給の過去の抑制に関する抑制履歴情報に基づいて作成された、前記供給の抑制に関する内容を示す出力抑制情報に基づく画面情報を取得するステップと、
取得した前記画面情報の内容を表示するステップとを実行させるための、表示制御プログラム。
【発明の詳細な説明】
【技術分野】
【０００１】
本発明は、電力管理装置、発電制御装置、表示装置、電力管理方法、発電制御方法、表示制御方法、電力管理プログラム、発電制御プログラムおよび表示制御プログラムに関し、特に、電力の供給または需要を管理する電力管理装置、発電制御装置、表示装置、電力管理方法、発電制御方法、表示制御方法、電力管理プログラム、発電制御プログラムおよび表示制御プログラムに関する。
【背景技術】
【０００２】
たとえば、九州電力株式会社、”出力制御ルール、出力制御見通し算定の考え方について”、［ｏｎｌｉｎｅ］、平成２７年２月１７日、総合資源エネルギー調査会  省エネルギー・新エネルギー分科会  新エネルギー小委員会  系統ワーキンググループ（第４回）配布資料、ｐ．１５、［平成２７年４月１４日検索］、インターネット〈ＵＲＬ：ｈｔｔｐ：／／ｗｗｗ．ｍｅｔｉ．ｇｏ．ｊｐ／ｃｏｍｍｉｔｔｅｅ／ｓｏｕｇｏｕｅｎｅｒｇｙ／ｓｈｏｅｎｅ＿ｓｈｉｎｅｎｅ／ｓｈｉｎ＿ｅｎｅ／ｋｅｉｔｏｕ＿ｗｇ／ｐｄｆ／００４＿０３＿００．ｐｄｆ〉（非特許文献１）には、再生可能エネルギー発電事業者からの発電電力の出力制御方法が記載されている。
【０００３】
たとえば、一般電気事業者は、出力制御実施日の当日の日射量想定値に基づいて出力制御必要量を決定する。ここで、日射量想定値は、たとえば、出力制御実施日の前日の１０時に気象会社から発表される。一般電気事業者は、たとえば、決定した出力制御必要量に基づいて出力制御指示を作成し、出力制御実施日の前日の夕方に当該出力制御指示を対象となる再生可能エネルギー発電事業者に通知する。
【先行技術文献】
【非特許文献】
【０００４】
【非特許文献１】九州電力株式会社、”出力制御ルール、出力制御見通し算定の考え方について”、［ｏｎｌｉｎｅ］、平成２７年２月１７日、総合資源エネルギー調査会  省エネルギー・新エネルギー分科会  新エネルギー小委員会  系統ワーキンググループ（第４回）配布資料、ｐ．１５、［平成２７年４月１４日検索］、インターネット〈ＵＲＬ：ｈｔｔｐ：／／ｗｗｗ．ｍｅｔｉ．ｇｏ．ｊｐ／ｃｏｍｍｉｔｔｅｅ／ｓｏｕｇｏｕｅｎｅｒｇｙ／ｓｈｏｅｎｅ＿ｓｈｉｎｅｎｅ／ｓｈｉｎ＿ｅｎｅ／ｋｅｉｔｏｕ＿ｗｇ／ｐｄｆ／００４＿０３＿００．ｐｄｆ〉
【発明の概要】
【発明が解決しようとする課題】
【０００５】
このような非特許文献１に記載の技術を超えて、発電事業者に電力供給の抑制または電力需要の制御に関する内容を適切に割り当てるための技術が求められている。
【０００６】
この発明は、上述の課題を解決するためになされたもので、その目的は、発電事業者に電力供給の抑制または電力需要の制御に関する内容を適切に割り当てることが可能な電力管理装置、発電制御装置、表示装置、電力管理方法、発電制御方法、表示制御方法、電力管理プログラム、発電制御プログラムおよび表示制御プログラムを提供することである。
【課題を解決するための手段】
【０００７】
（１）上記課題を解決するために、この発明のある局面に係わる電力管理装置は、装置を用いた電力の供給または需要についての過去の制御に関する制御履歴情報を取得する取得部と、電力系統側から前記供給または前記需要の第１制御指令を受けて、前記取得部によって取得された前記制御履歴情報に基づいて、前記供給または前記需要の制御に関する内容を示す制御情報を作成する情報作成部とを備える。
【０００８】
（７）またこの発明の別の局面に係わる電力管理装置は、装置を用いた電力の供給または前記需要について、電力系統側から前記供給または前記需要の第１抑制制御を受けて、前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて、前記供給または前記需要の制御に関する内容を示す制御情報を作成する情報作成部を備える。
【０００９】
（８）上記課題を解決するために、この発明のある局面に係わる表示装置は、装置を用いた電力の供給または需要について、前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて作成された、前記供給または前記需要の制御に関する内容を示す制御情報に基づく画面情報を取得する取得部と、前記取得部によって取得された前記画面情報の内容を表示する制御部とを備える。
【００１０】
（９）またこの発明の別の局面に係わる電力管理装置は、再生可能エネルギーから電気を生成する発電装置を用いた電力の供給について、前記供給の過去の抑制に関する抑制履歴情報を取得する取得部と、電力系統側から前記供給の第１抑制指令を受けて、前記取得部によって取得された前記抑制履歴情報に基づいて、前記供給の抑制に関する内容を示す出力抑制情報を作成する情報作成部とを備える。
【００１１】
（２０）上記課題を解決するために、この発明のある局面に係わる発電制御装置は、再生可能エネルギーから電気を生成する発電装置を用いた電力の供給について、前記供給の過去の抑制に関する抑制履歴情報に基づいて作成された、前記供給の抑制に関する内容を示す出力抑制情報を取得する取得部と、前記取得部によって取得された前記出力抑制情報に基づいて前記発電装置を制御する制御部とを備える。
【００１２】
（２１）またこの発明の別の局面に係わる表示装置は、再生可能エネルギーから電気を生成する発電装置を用いた電力の供給について、前記供給の過去の抑制に関する抑制履歴情報に基づいて作成された、前記供給の抑制に関する内容を示す出力抑制情報に基づく画面情報を取得する取得部と、前記取得部によって取得された前記画面情報の内容を表示する制御部とを備える。
【００１３】
（２２）上記課題を解決するために、この発明のある局面に係わる電力管理方法は、電力管理装置における電力管理方法であって、装置を用いた電力の供給または需要について、電力系統側から前記供給または前記需要の第１制御指令を受けるステップと、前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて、前記供給または前記需要の制御に関する内容を示す制御情報を作成するステップとを含む。
【００１４】
（２３）上記課題を解決するために、この発明のある局面に係わる表示制御方法は、表示装置における表示制御方法であって、装置を用いた電力の供給または需要について、前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて作成された、前記供給または前記需要の抑制に関する内容を示す制御情報に基づく画面情報を取得するステップと、取得した前記画面情報の内容を表示するステップとを含む。
【００１５】
（２４）またこの発明の別の局面に係わる電力管理方法は、電力管理装置における電力管理方法であって、再生可能エネルギーから電気を生成する発電装置を用いた電力の供給について、前記供給の過去の抑制に関する抑制履歴情報を取得するステップと、電力系統側から前記供給の第１抑制指令を受けて、取得した前記抑制履歴情報に基づいて、前記供給の抑制に関する内容を示す出力抑制情報を作成するステップとを含む。
【００１６】
（２５）上記課題を解決するために、この発明のある局面に係わる発電制御方法は、発電制御装置における発電制御方法であって、再生可能エネルギーから電気を生成する発電装置を用いた電力の供給について、前記供給の過去の抑制に関する抑制履歴情報に基づいて作成された、前記供給の抑制に関する内容を示す出力抑制情報を取得するステップと、取得した前記出力抑制情報に基づいて前記発電装置を制御するステップとを含む。
【００１７】
（２６）またこの発明の別の局面に係わる表示制御方法は、表示装置における表示制御方法であって、再生可能エネルギーから電気を生成する発電装置を用いた電力の供給について、前記供給の過去の抑制に関する抑制履歴情報に基づいて作成された、前記供給の抑制に関する内容を示す出力抑制情報に基づく画面情報を取得するステップと、取得した前記画面情報の内容を表示するステップとを含む。
【００１８】
（２７）上記課題を解決するために、この発明のある局面に係わる電力管理プログラムは、電力管理装置において用いられる電力管理プログラムであって、コンピュータに、装置を用いた電力の供給または需要について、電力系統側から前記供給または前記需要の第１制御指令を受けるステップと、前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて、前記供給または前記需要の制御に関する内容を示す制御情報を作成するステップとを実行させるためのプログラムである。
【００１９】
（２８）上記課題を解決するために、この発明のある局面に係わる表示制御プログラムは、表示装置において用いられる表示制御プログラムであって、コンピュータに、装置を用いた電力の供給または需要について、前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて作成された、前記供給または前記需要の抑制に関する内容を示す制御情報に基づく画面情報を取得するステップと、取得した前記画面情報の内容を表示するステップとを実行させるためのプログラムである。
【００２０】
（２９）またこの発明の別の局面に係わる電力管理プログラムは、電力管理装置において用いられる電力管理プログラムであって、コンピュータに、再生可能エネルギーから電気を生成する発電装置を用いた電力の供給について、前記供給の過去の抑制に関する抑制履歴情報を取得するステップと、電力系統側から前記供給の第１抑制指令を受けて、取得した前記抑制履歴情報に基づいて、前記供給の抑制に関する内容を示す出力抑制情報を作成するステップとを実行させるためのプログラムである。
【００２１】
（３０）上記課題を解決するために、この発明のある局面に係わる発電制御プログラムは、発電制御装置において用いられる発電制御プログラムであって、コンピュータに、発電制御装置における発電制御方法であって、再生可能エネルギーから電気を生成する発電装置を用いた電力の供給について、前記供給の過去の抑制に関する抑制履歴情報に基づいて作成された、前記供給の抑制に関する内容を示す出力抑制情報を取得するステップと、取得した前記出力抑制情報に基づいて前記発電装置を制御するステップとを実行させるためのプログラムである。
【００２２】
（３１）またこの発明の別の局面に係わる表示制御プログラムは、表示装置において用いられる表示制御プログラムであって、コンピュータに、再生可能エネルギーから電気を生成する発電装置を用いた電力の供給について、前記供給の過去の抑制に関する抑制履歴情報に基づいて作成された、前記供給の抑制に関する内容を示す出力抑制情報に基づく画面情報を取得するステップと、取得した前記画面情報の内容を表示するステップとを実行させるためのプログラムである。
【００２３】
本発明は、このような特徴的な処理部を備える電力管理装置として実現できるだけでなく、このような特徴的な処理部を備える電力管理システムとして実現することができる。また、電力管理装置の一部または全部を実現する半導体集積回路として実現することができる。
【００２４】
また、本発明は、このような特徴的な処理部を備える発電制御装置として実現できるだけでなく、このような特徴的な処理部を備える電力管理システムとして実現することができる。また、発電制御装置の一部または全部を実現する半導体集積回路として実現することができる。
【００２５】
また、本発明は、このような特徴的な処理部を備える表示装置として実現できるだけでなく、このような特徴的な処理部を備える電力管理システムとして実現することができる。また、表示装置の一部または全部を実現する半導体集積回路として実現することができる。
【発明の効果】
【００２６】
本発明によれば、発電事業者に電力供給の抑制または電力需要の制御に関する内容を適切に割り当てることができる。
【図面の簡単な説明】
【００２７】
【図１】図１は、本発明の第１の実施の形態に係る電力管理システムの構成を示す図である。
【図２】図２は、本発明の第１の実施の形態に係る電力管理システムにおいて、表示装置に表示された画面の一例を示す図である。
【図３】図３は、本発明の第１の実施の形態に係る電力管理システムにおいて、表示装置に表示された画面の一例を示す図である。
【図４】図４は、本発明の第１の実施の形態に係る電力管理システムにおけるデータベースに含まれる発電事業者情報の一例を示す図である。
【図５】図５は、本発明の第１の実施の形態に係る電力管理システムにおけるデータベースに含まれる抑制履歴情報の一例を示す図である。
【図６】図６は、本発明の第１の実施の形態に係る電力管理システムにおける電力管理装置の構成を示す図である。
【図７】図７は、本発明の第１の実施の形態に係る電力管理装置における情報作成部の構成を示す図である。
【図８】図８は、本発明の第１の実施の形態に係る電力管理システムにおける表示装置の構成を示す図である。
【図９】図９は、本発明の第１の実施の形態に係る電力管理システムにおける発電制御装置の構成を示す図である。
【図１０】図１０は、本発明の第１の実施の形態に係る電力管理システムにおける対象供給の抑制処理のシーケンスの一例を示す図である。
【図１１】図１１は、本発明の第１の実施の形態に係る電力管理システムにおける表示装置が画面の表示を行う際の動作手順を定めたフローチャートである。
【図１２】図１２は、本発明の第１の実施の形態に係る電力管理システムにおける発電制御装置が発電装置の制御を行う際の動作手順を定めたフローチャートである。
【図１３】図１３は、本発明の第２の実施の形態に係る電力管理システムの構成を示す図である。
【図１４】図１４は、本発明の第２の実施の形態に係る電力管理システムにおける電力管理装置の構成を示す図である。
【図１５】図１５は、本発明の第２の実施の形態に係る電力管理装置における情報作成部の構成を示す図である。
【図１６】図１６は、本発明の第２の実施の形態に係る情報作成部が作成する対象者リストの一例を示す図である。
【図１７】図１７は、本発明の第２の実施の形態に係る電力管理システムにおける対象供給の抑制処理のシーケンスの一例を示す図である。
【図１８】図１８は、本発明の第３の実施の形態に係る電力管理システムにおいて、表示装置に表示された画面の一例を示す図である。
【図１９】図１９は、本発明の第３の実施の形態に係る電力管理システムにおける発電制御装置の構成を示す図である。
【図２０】図２０は、本発明の第４の実施の形態に係る電力管理システムの構成を示す図である。
【発明を実施するための形態】
【００２８】
最初に、本発明の実施形態の内容を列記して説明する。
【００２９】
（１）本発明の実施の形態に係る電力管理装置は、装置を用いた電力の供給または需要についての過去の制御に関する制御履歴情報を取得する取得部と、電力系統側から前記供給または前記需要の第１制御指令を受けて、前記取得部によって取得された前記制御履歴情報に基づいて、前記供給または前記需要の制御に関する内容を示す制御情報を作成する情報作成部とを備える。
【００３０】
このように、過去の電力の供給または需要の制御実績に基づいて、装置を用いた電力の供給または需要の制御に関する内容を決定する構成により、当該制御実績に応じて供給または需要の制御に関する内容を調整することができるので、たとえば対象者に対する対象供給または電力需要の制御に関する内容の割り当ての公平性を向上させることができる。したがって、対象者への電力供給または電力需要の制御に関する内容を適切に割り当てることができる。
【００３１】
（２）好ましくは、前記情報作成部は、前記供給または前記需要の制御に関する内容として、前記供給または前記需要を制御する複数の候補者を示す前記制御情報を作成する。
【００３２】
このような構成により、複数の候補者の中から対象供給または電力需要の制御を行うべき対象者を選択する機能を提供することができる。
【００３３】
（３）好ましくは、前記情報作成部は、前記制御履歴情報に基づいて、前記供給または前記需要の制御を行うべき１または複数の対象者を決定し、前記供給または前記需要の制御に関する内容として、決定した前記対象者に対する前記供給または前記需要の第２制御指令を示す前記制御情報を作成する。
【００３４】
このような構成により、過去の対象供給または電力需要の制御実績に基づいて、適当な対象者を決定できるとともに、決定した対象者に応じた内容の制御指令を作成することができる。
【００３５】
（４）好ましくは、前記電力管理装置は、さらに、前記情報作成部によって作成された前記制御情報に基づいて、前記供給または前記需要の第２制御指令を、前記供給または前記需要の制御を行うべき１または複数の対象者に通知する通知部を備え、前記制御履歴情報は、前記通知部によって前記対象者に通知された過去の前記第２制御指令の内容を含む。
【００３６】
このような構成により、過去に対象者に通知した対象供給または電力需要の制御指令の内容を反映した、たとえばより公平な制御に関する内容の割り当てを行うことができる。
【００３７】
（５）好ましくは、前記情報作成部は、前記制御履歴情報に基づいて、前記供給もしくは前記需要の制御依頼時間の累積値または前記供給もしくは前記需要の制御依頼日数の累積値が所定のしきい値以上である者を、前記供給または前記需要を制御する対象者から除外する。
【００３８】
このような構成により、対象供給または電力需要の制御を比較的依頼していない者に対象供給または電力需要の制御を行わせる可能性を高めることができるので、たとえばより公平な制御に関する内容の割り当てを行うことができる。
【００３９】
（６）好ましくは、前記情報作成部は、前記供給または前記需要の過去の制御依頼時間、前記供給または前記需要の過去の制御量、前記供給または前記需要の過去の制御回数、前記供給または前記需要の過去の制御依頼日数、および、前記供給または前記需要の過去の制御依頼に対する達成度合いのうちの少なくともいずれか１つに基づいて前記制御情報を作成する。
【００４０】
このような構成により、過去の対象供給または電力需要の制御実績を適切に表す数値、または、対象供給もしくは電力需要の予測値を用いて、たとえば制御に関するより公平な内容の割り当てを行うことができる。
【００４１】
また、このような構成により、過去の対象供給もしくは電力需要の制御実績、または発電装置の性能を用いて、制御に関するより公平な内容の割り当てを行うことができる。具体的には、達成度合いの高い候補者を優先的に制御依頼対象として選択することができるため、所望の制御量をより高い確度で実現することが可能となる。
【００４２】
（７）本発明の実施の形態に係る電力管理装置は、装置を用いた電力の供給または需要について、電力系統側から前記供給または前記需要の第１制御指令を受けて、前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて、前記供給または前記需要の制御に関する内容を示す制御情報を作成する情報作成部を備える。
【００４３】
このように、装置に関するコスト、使用状況および性能等に関する数値、対象供給もしくは電力需要の予測値、または制御依頼に対する達成度合いに基づいて対象供給または電力需要の制御に関する内容が決定される構成により、このような数値に応じて対象供給または電力需要の制御に関する内容を調整することができるので、対象者に対する制御に関する内容の割り当ての公平性を向上させることができる。したがって、対象者に電力供給または電力需要の制御に関する内容を適切に割り当てることができる。また、たとえば、達成度合いの低い候補者を制御依頼対象から除外することにより、所望の制御量をより高い確度で実現することが可能となる。
【００４４】
（８）本発明の実施の形態に係る表示装置は、装置を用いた電力の供給または需要について、前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて作成された、前記供給または前記需要の制御に関する内容を示す制御情報に基づく画面情報を取得する取得部と、前記取得部によって取得された前記画面情報の内容を表示する制御部とを備える。
【００４５】
このように、装置に関するコスト、使用状況および性能等に関する数値、対象供給もしくは電力需要の予測値、または制御依頼に対する達成度合いに基づいて対象供給または電力需要の制御に関する内容が決定される構成により、このような数値に応じて対象供給または電力需要の制御に関する内容を調整することができるので、対象者に対する制御に関する内容の割り当ての公平性を向上させることができる。したがって、対象者に電力供給または電力需要の制御に関する内容を適切に割り当てることができる。また、たとえば、達成度合いの低い候補者を制御依頼対象から除外することにより、所望の制御量をより高い確度で実現することが可能となる。
【００４６】
（９）本発明の実施の形態に係る電力管理装置は、再生可能エネルギーから電気を生成する発電装置を用いた電力の供給について、前記供給の過去の抑制に関する抑制履歴情報を取得する取得部と、電力系統側から前記供給の第１抑制指令を受けて、前記取得部によって取得された前記抑制履歴情報に基づいて、前記供給の抑制に関する内容を示す出力抑制情報を作成する情報作成部とを備える。
【００４７】
このように、過去の対象供給の抑制実績に基づいて、上記発電装置を用いた電力の供給（以下、対象供給とも称する。）の抑制に関する内容を決定する構成により、当該抑制実績に応じて対象供給の抑制に関する内容を調整することができるので、たとえば発電事業者に対する抑制に関する内容の割り当ての公平性を向上させることができる。したがって、発電事業者に電力供給の抑制に関する内容を適切に割り当てることができる。
【００４８】
（１０）好ましくは、前記情報作成部は、前記供給の抑制に関する内容として、前記供給を抑制する複数の候補者を示す前記出力抑制情報を作成する。
【００４９】
このような構成により、複数の候補者の中から対象供給の抑制を行うべき対象者を選択する機能を提供することができる。
【００５０】
（１１）好ましくは、前記情報作成部は、前記抑制履歴情報に基づいて、前記供給の抑制を行うべき１または複数の対象者を決定し、前記供給の抑制に関する内容として、決定した前記対象者に対する前記供給の第２抑制指令を示す前記出力抑制情報を作成する。
【００５１】
このような構成により、過去の対象供給の抑制実績に基づいて、適当な対象者を決定できるとともに、決定した対象者に応じた内容の抑制指令を作成することができる。
【００５２】
（１２）好ましくは、前記電力管理装置は、さらに、前記情報作成部によって作成された前記出力抑制情報に基づいて、前記供給の第２抑制指令を、前記供給の抑制を行うべき１または複数の対象者に通知する通知部を備え、前記抑制履歴情報は、前記通知部によって前記対象者に通知された過去の前記第２抑制指令の内容を含む。
【００５３】
このような構成により、過去に対象者に通知した対象供給の抑制指令の内容を反映した、たとえばより公平な抑制に関する内容の割り当てを行うことができる。
【００５４】
（１３）好ましくは、前記情報作成部は、前記抑制履歴情報に基づいて、前記供給の抑制依頼時間の累積値または前記供給の抑制依頼日数の累積値が所定のしきい値以上である者を、前記供給を抑制する対象者から除外する。
【００５５】
このような構成により、対象供給の抑制を比較的依頼していない者に対象供給の抑制を行わせる可能性を高めることができるので、たとえばより公平な抑制に関する内容の割り当てを行うことができる。
【００５６】
（１４）好ましくは、前記情報作成部は、前記供給の過去の抑制依頼時間、前記供給の過去の抑制量、前記供給の過去の抑制回数、および前記供給の過去の抑制依頼日数のうちの少なくともいずれか１つに基づいて前記出力抑制情報を作成する。
【００５７】
このような構成により、過去の対象供給の抑制実績を適切に表す数値、または対象供給の予測値を用いて、たとえば抑制に関するより公平な内容の割り当てを行うことができる。
【００５８】
（１５）好ましくは、前記情報作成部は、前記供給の抑制を許容する許容期間、および前記供給の抑制を許容しない非許容期間の少なくともいずれか一方に基づいて前記出力抑制情報を作成する。
【００５９】
このような構成により、対象供給の抑制を受け得る者の都合を出力抑制情報に反映させる機能を提供することができる。
【００６０】
（１６）好ましくは、前記情報作成部は、前記供給の抑制依頼時間の累積値または前記供給の抑制依頼日数の累積値の所定の上限値までの残りに基づいて前記出力抑制情報を作成する。
【００６１】
このような構成により、対象供給の抑制を比較的依頼していない者に対象供給の抑制を行わせる可能性を高めることができるので、たとえば抑制に関するより公平な内容の割り当てを行うことができる。
【００６２】
（１７）好ましくは、前記情報作成部は、前記電力系統側からの前記第１抑制指令の示す抑制期間を複数のサブ期間に分割し、前記サブ期間ごとの前記出力抑制情報を作成する。
【００６３】
このように、抑制期間を分割したサブ期間を設け、当該サブ期間ごとの出力抑制情報を作成する構成により、対象供給の抑制に関する内容の自由度を高めることができるので、たとえば抑制に関するより公平な内容の割り当てを行うことができる。
【００６４】
（１８）より好ましくは、前記情報作成部は、前記複数のサブ期間のうち、いずれかの前記サブ期間において前記供給を抑制する者を、他の前記サブ期間において前記供給を抑制する対象者から除外する。
【００６５】
このような構成により、対象供給の抑制を複数のサブ期間において行う者が発生することを回避することができるので、たとえば抑制に関するより公平な内容の割り当てを行うことができる。
【００６６】
（１９）好ましくは、前記情報作成部は、前記供給の抑制に関する内容として、前記発電装置の発電容量を基準とした抑制レベルを示す前記出力抑制情報を作成する。
【００６７】
このように、発電容量を基準とする構成により、天候等の発電条件に左右されない安定した基準を用いることができるので、抑制に関する内容を安定かつ簡易に決定することができる。
【００６８】
（２０）本発明の実施の形態に係る発電制御装置は、再生可能エネルギーから電気を生成する発電装置を用いた電力の供給について、前記供給の過去の抑制に関する抑制履歴情報に基づいて作成された、前記供給の抑制に関する内容を示す出力抑制情報を取得する取得部と、前記取得部によって取得された前記出力抑制情報に基づいて前記発電装置を制御する制御部とを備える。
【００６９】
このように、過去の対象供給の抑制実績に基づいて対象供給の抑制に関する内容が決定される構成により、当該抑制実績に応じて対象供給の抑制に関する内容を調整することができるので、たとえば発電事業者に対する抑制に関する内容の割り当ての公平性を向上させることができる。したがって、発電事業者に電力供給の抑制に関する内容を適切に割り当てることができる。
【００７０】
（２１）本発明の実施の形態に係る表示装置は、再生可能エネルギーから電気を生成する発電装置を用いた電力の供給について、前記供給の過去の抑制に関する抑制履歴情報に基づいて作成された、前記供給の抑制に関する内容を示す出力抑制情報に基づく画面情報を取得する取得部と、前記取得部によって取得された前記画面情報の内容を表示する制御部とを備える。
【００７１】
このように、過去の対象供給の抑制実績に基づいて対象供給の抑制に関する内容が決定される構成により、当該抑制実績に応じて対象供給の抑制に関する内容を調整することができるので、たとえば発電事業者に対する抑制に関する内容の割り当ての公平性を向上させることができる。したがって、発電事業者に電力供給の抑制に関する内容を適切に割り当てることができる。
【００７２】
（２２）本発明の実施の形態に係る電力管理方法は、電力管理装置における電力管理方法であって、装置を用いた電力の供給または需要について、電力系統側から前記供給または前記需要の第１制御指令を受けるステップと、前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて、前記供給または前記需要の制御に関する内容を示す制御情報を作成するステップとを含む。
【００７３】
このように、装置に関するコスト、使用状況および性能等に関する数値、対象供給もしくは電力需要の予測値、または制御依頼に対する達成度合いに基づいて対象供給または電力需要の制御に関する内容が決定される構成により、このような数値に応じて対象供給または電力需要の制御に関する内容を調整することができるので、対象者に対する制御に関する内容の割り当ての公平性を向上させることができる。したがって、対象者に電力供給または電力需要の制御に関する内容を適切に割り当てることができる。また、たとえば、達成度合いの低い候補者を制御依頼対象から除外することにより、所望の制御量をより高い確度で実現することが可能となる。
【００７４】
（２３）本発明の実施の形態に係る表示制御方法は、表示装置における表示制御方法であって、装置を用いた電力の供給または需要について、前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて作成された、前記供給または前記需要の抑制に関する内容を示す制御情報に基づく画面情報を取得するステップと、取得した前記画面情報の内容を表示するステップとを含む。
【００７５】
このように、装置に関するコスト、使用状況および性能等に関する数値、対象供給もしくは電力需要の予測値、または制御依頼に対する達成度合いに基づいて対象供給または電力需要の制御に関する内容が決定される構成により、このような数値に応じて対象供給または電力需要の制御に関する内容を調整することができるので、対象者に対する制御に関する内容の割り当ての公平性を向上させることができる。したがって、対象者に電力供給または電力需要の制御に関する内容を適切に割り当てることができる。また、たとえば、達成度合いの低い候補者を制御依頼対象から除外することにより、所望の制御量をより高い確度で実現することが可能となる。
【００７６】
（２４）本発明の実施の形態に係る電力管理方法は、電力管理装置における電力管理方法であって、再生可能エネルギーから電気を生成する発電装置を用いた電力の供給について、前記供給の過去の抑制に関する抑制履歴情報を取得するステップと、電力系統側から前記供給の第１抑制指令を受けて、取得した前記抑制履歴情報に基づいて、前記供給の抑制に関する内容を示す出力抑制情報を作成するステップとを含む。
【００７７】
このように、過去の対象供給の抑制実績に基づいて対象供給の抑制に関する内容を決定する構成により、当該抑制実績に応じて対象供給の抑制に関する内容を調整することができるので、たとえば発電事業者に対する抑制に関する内容の割り当ての公平性を向上させることができる。したがって、発電事業者に電力供給の抑制に関する内容を適切に割り当てることができる。
【００７８】
（２５）本発明の実施の形態に係る発電制御方法は、発電制御装置における発電制御方法であって、再生可能エネルギーから電気を生成する発電装置を用いた電力の供給について、前記供給の過去の抑制に関する抑制履歴情報に基づいて作成された、前記供給の抑制に関する内容を示す出力抑制情報を取得するステップと、取得した前記出力抑制情報に基づいて前記発電装置を制御するステップとを含む。
【００７９】
このように、過去の対象供給の抑制実績に基づいて対象供給の抑制に関する内容が決定される構成により、当該抑制実績に応じて対象供給の抑制に関する内容を調整することができるので、たとえば発電事業者に対する抑制に関する内容の割り当ての公平性を向上させることができる。したがって、発電事業者に電力供給の抑制に関する内容を適切に割り当てることができる。
【００８０】
（２６）本発明の実施の形態に係る表示制御方法は、表示装置における表示制御方法であって、再生可能エネルギーから電気を生成する発電装置を用いた電力の供給について、前記供給の過去の抑制に関する抑制履歴情報に基づいて作成された、前記供給の抑制に関する内容を示す出力抑制情報に基づく画面情報を取得するステップと、取得した前記画面情報の内容を表示するステップとを含む。
【００８１】
このように、過去の対象供給の抑制実績に基づいて対象供給の抑制に関する内容が決定される構成により、当該抑制実績に応じて対象供給の抑制に関する内容を調整することができるので、たとえば発電事業者に対する抑制に関する内容の割り当ての公平性を向上させることができる。したがって、発電事業者に電力供給の抑制に関する内容を適切に割り当てることができる。
【００８２】
（２７）本発明の実施の形態に係る電力管理プログラムは、電力管理装置において用いられる電力管理プログラムであって、コンピュータに、装置を用いた電力の供給または需要について、電力系統側から前記供給または前記需要の第１制御指令を受けるステップと、前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて、前記供給または前記需要の制御に関する内容を示す制御情報を作成するステップとを実行させるためのプログラムである。
【００８３】
このように、装置に関するコスト、使用状況および性能等に関する数値、対象供給もしくは電力需要の予測値、または制御依頼に対する達成度合いに基づいて対象供給または電力需要の制御に関する内容が決定される構成により、このような数値に応じて対象供給または電力需要の制御に関する内容を調整することができるので、対象者に対する制御に関する内容の割り当ての公平性を向上させることができる。したがって、対象者に電力供給または電力需要の制御に関する内容を適切に割り当てることができる。また、たとえば、達成度合いの低い候補者を制御依頼対象から除外することにより、所望の制御量をより高い確度で実現することが可能となる。
【００８４】
（２８）本発明の実施の形態に係る表示制御プログラムは、表示装置において用いられる表示制御プログラムであって、コンピュータに、装置を用いた電力の供給または需要について、前記装置の初期コスト、前記装置の導入期間の長さ、前記装置に関する収支、前記供給または前記需要の予測量、および、前記供給または前記需要の過去の制御依頼に対する達成度合いのうちの少なくともいずれか１つに基づいて作成された、前記供給または前記需要の抑制に関する内容を示す制御情報に基づく画面情報を取得するステップと、取得した前記画面情報の内容を表示するステップとを実行させるためのプログラムである。
【００８５】
このように、装置に関するコスト、使用状況および性能等に関する数値、対象供給もしくは電力需要の予測値、または制御依頼に対する達成度合いに基づいて対象供給または電力需要の制御に関する内容が決定される構成により、このような数値に応じて対象供給または電力需要の制御に関する内容を調整することができるので、対象者に対する制御に関する内容の割り当ての公平性を向上させることができる。したがって、対象者に電力供給または電力需要の制御に関する内容を適切に割り当てることができる。また、たとえば、達成度合いの低い候補者を制御依頼対象から除外することにより、所望の制御量をより高い確度で実現することが可能となる。
【００８６】
（２９）本発明の実施の形態に係る電力管理プログラムは、電力管理装置において用いられる電力管理プログラムであって、コンピュータに、再生可能エネルギーから電気を生成する発電装置を用いた電力の供給について、前記供給の過去の抑制に関する抑制履歴情報を取得するステップと、電力系統側から前記供給の第１抑制指令を受けて、取得した前記抑制履歴情報に基づいて、前記供給の抑制に関する内容を示す出力抑制情報を作成するステップとを実行させるためのプログラムである。
【００８７】
このように、過去の対象供給の抑制実績に基づいて対象供給の抑制に関する内容を決定する構成により、当該抑制実績に応じて対象供給の抑制に関する内容を調整することができるので、たとえば発電事業者に対する抑制に関する内容の割り当ての公平性を向上させることができる。したがって、発電事業者に電力供給の抑制に関する内容を適切に割り当てることができる。
【００８８】
（３０）本発明の実施の形態に係る発電制御プログラムは、発電制御装置において用いられる発電制御プログラムであって、コンピュータに、再生可能エネルギーから電気を生成する発電装置を用いた電力の供給について、前記供給の過去の抑制に関する抑制履歴情報に基づいて作成された、前記供給の抑制に関する内容を示す出力抑制情報を取得するステップと、取得した前記出力抑制情報に基づいて前記発電装置を制御するステップとを実行させるためのプログラムである。
【００８９】
このように、過去の対象供給の抑制実績に基づいて対象供給の抑制に関する内容が決定される構成により、当該抑制実績に応じて対象供給の抑制に関する内容を調整することができるので、たとえば発電事業者に対する抑制に関する内容の割り当ての公平性を向上させることができる。したがって、発電事業者に電力供給の抑制に関する内容を適切に割り当てることができる。
【００９０】
（３１）本発明の実施の形態に係る表示制御プログラムは、表示装置において用いられる表示制御プログラムであって、コンピュータに、再生可能エネルギーから電気を生成する発電装置を用いた電力の供給について、前記供給の過去の抑制に関する抑制履歴情報に基づいて作成された、前記供給の抑制に関する内容を示す出力抑制情報に基づく画面情報を取得するステップと、取得した前記画面情報の内容を表示するステップとを実行させるためのプログラムである。
【００９１】
このように、過去の対象供給の抑制実績に基づいて対象供給の抑制に関する内容が決定される構成により、当該抑制実績に応じて対象供給の抑制に関する内容を調整することができるので、たとえば発電事業者に対する抑制に関する内容の割り当ての公平性を向上させることができる。したがって、発電事業者に電力供給の抑制に関する内容を適切に割り当てることができる。
【００９２】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００９３】
本発明の実施の形態に係る電力管理システムは、発電装置の設けられた施設における電力供給の制御、または、電力需要施設における電力需要の制御を行う。以下、第１から第３の実施の形態では、電力供給の制御を行う電力管理システムについて説明する。また、第４の実施の形態では、電力需要の制御を行う電力管理システムについて説明する。
【００９４】
＜第１の実施の形態＞
［構成および基本動作］
図１は、本発明の第１の実施の形態に係る電力管理システムの構成を示す図である。
【００９５】
図１を参照して、電力管理システム３０１は、電力管理装置１０１と、表示装置１１１と、データベース１１２と、系統側管理装置１５１と、３つの発電制御装置２０２と、３つの発電装置２０３とを備える。
【００９６】
図１では、３つの発電制御装置２０２を代表的に示しているが、さらに多数または少数の発電制御装置２０２が設けられてもよい。また、発電制御装置２０２に対応して１つの発電装置２０３が設けられているが、複数の発電装置２０３が１つの発電制御装置２０２に対応して設けられてもよい。
【００９７】
発電制御装置２０２および発電装置２０３は、たとえば、太陽光発電所および風力発電所等の発電施設、またはビル、工場および一般家庭等の電力需要施設に設けられ、発電事業者により運用される。
【００９８】
発電装置２０３は、再生可能エネルギーから電気を生成する。発電装置２０３は、たとえば太陽光発電装置または風力発電装置である。
【００９９】
発電制御装置２０２は、たとえば、ＰＣＳ（Ｐｏｗｅｒ  Ｃｏｎｄｉｔｉｏｎｉｎｇ  Ｓｙｓｔｅｍ）であり、制御対象の発電装置２０３が設けられている発電施設または電力需要施設において用いられる。
【０１００】
発電制御装置２０２は、たとえば、発電装置２０３を用いた電力の供給すなわち対象供給を制御する。
【０１０１】
具体的には、発電制御装置２０２は、たとえば、発電装置２０３における発電電力を抑制するための制御を行う。また、発電制御装置２０２は、たとえば、発電装置２０３において発電された電力の変換、より詳細には直流から交流への変換、交流から直流への変換、または電圧レベル等の変換を行い、変換後の電力の逆潮流の制御および電力需要施設への供給の制御を行う。
【０１０２】
系統側管理装置１５１は、電力系統側である電力会社または系統運用会社等の一般電気事業者によって運用され、対象供給の抑制指令Ｃ１を電力管理装置１０１へ送信する。
【０１０３】
ここで、抑制指令Ｃ１には、たとえば、対象供給を抑制する対象期間（以下、抑制期間ＣＰとも称する。）の開始タイミングおよび長さ、ならびに対象供給の総抑制電力量および対象供給の抑制を行う対象エリア等が含まれる。
【０１０４】
なお、抑制指令Ｃ１には、抑制期間ＣＰの長さの代わりに抑制期間ＣＰの終了タイミングが含まれていてもよい。また、対象エリアは、たとえば、都道府県または市町村等の行政区画で定められるエリアであってもよいし、系統の送電網に基づくエリアであってもよい。
【０１０５】
電力管理装置１０１は、たとえばアグリゲータ等の配信事業者によって運用され、１または複数の発電制御装置２０２と通信を行なうことにより、当該発電制御装置２０２が設けられた発電施設または電力需要施設における発電装置２０３の発電電力を管理する。
【０１０６】
また、電力管理装置１０１は、たとえば、対象供給の抑制に関する内容を決定するための画面を表示装置１１１に表示する制御を行う。
【０１０７】
［検索条件設定画面］
図２は、本発明の第１の実施の形態に係る電力管理システムにおいて、表示装置に表示された画面の一例を示す図である。
【０１０８】
図２を参照して、表示装置１１１には、たとえば検索条件を設定するための画面Ｓｃ１が表示されている。画面Ｓｃ１は、ドロップダウンリストＤＬｐ，ＤＬｓ，ＤＬｃ，ＤＬａ，ＤＬｒと、検索実行ボタンＢｅとを含む。
【０１０９】
（サブ抑制期間）
ドロップダウンリストＤＬｐは、たとえば、ユーザがサブ抑制期間を選択するために用いられる。サブ抑制期間は、たとえば、抑制期間ＣＰを複数に分割した期間である。
【０１１０】
具体的には、ドロップダウンリストＤＬｐには、たとえば、「（１）平成２７年７月１日１３：００〜１４：００」および「（２）平成２７年７月１日１４：００〜１５：００」の２つの要素が含まれる。
【０１１１】
「（１）平成２７年７月１日１３：００〜１４：００」および「（２）平成２７年７月１日１４：００〜１５：００」は、たとえば、抑制期間ＣＰが「平成２７年７月１日１３：００〜１５：００」である場合において、抑制期間ＣＰを１時間ごとに分割した２つの期間をそれぞれサブ抑制期間に設定するための要素である。
【０１１２】
なお、サブ抑制期間は、抑制期間ＣＰを均等に分割した期間に限らず、抑制期間ＣＰを不均等に分割した期間であってもよい。
【０１１３】
ユーザは、たとえば、マウス等のポインティングデバイスを用いてドロップダウンリストＤＬｐにおける各要素のうちのいずれか１つをクリックすることにより、サブ抑制期間を選択することが可能である。
【０１１４】
（実績集計期間）
ドロップダウンリストＤＬｒは、たとえば、ユーザが実績集計期間を選択するために用いられる。実績集計期間は、たとえば、発電制御装置２０２において過去に行われた対象供給の抑制の実績を集計するための期間である。
【０１１５】
具体的には、ドロップダウンリストＤＬｒには、たとえば、「（１）今年度」、「（２）昨年度〜今年度」、「（３）過去１年」、「（４）過去２年」および「（５）任意設定」の５つの要素が含まれる。
【０１１６】
「（１）今年度」、「（２）昨年度〜今年度」、「（３）過去１年」および「（４）過去２年」は、たとえば、今年度の年初から現在までの期間、昨年度の年初から現在までの期間、１年前から現在までの期間、および２年前から現在までの期間をそれぞれ実績集計期間に設定するための要素である。また、「（５）任意設定」は、たとえば、ユーザが任意の実績集計期間を設定するための要素である。
【０１１７】
ユーザは、たとえば、ポインティングデバイスを用いてドロップダウンリストＤＬｒにおける「（１）今年度」、「（２）昨年度〜今年度」、「（３）過去１年」および「（４）過去２年」のいずれか１つをクリックすることにより、実績集計期間を選択することが可能である。また、ユーザは、たとえばドロップダウンリストＤＬｒにおける「（５）任意設定」をクリックして選択することにより、上述の４つの実績集計期間に限らず任意の実績集計期間を設定することが可能である。
【０１１８】
（ソートキー）
ドロップダウンリストＤＬｓは、たとえば、ユーザが出力抑制依頼履歴・予測における各項目からソートキーを選択するために用いられる。ソートキーは、たとえば、抑制依頼対象の発電事業者の検索結果をソートするためのキーである。
【０１１９】
具体的には、ドロップダウンリストＤＬｓには、たとえば、「（１）出力抑制依頼時間」、「（２）出力抑制依頼電力量」、「（３）出力抑制依頼回数」、「（４）出力抑制依頼日数」、「（５）サブ抑制期間における予測出力量」、「（６）出力抑制相当価格（実績）」、「（７）出力抑制相当価格（予測）」および「（８）出力抑制未達度」の８つの要素が含まれる。
【０１２０】
ここで、出力抑制依頼時間は、出力抑制の依頼の対象となった時間を示す。また、出力抑制依頼日数は、出力抑制の依頼の対象となった日数を示す。具体的には、たとえば、６月２５日に１０時〜１１時の出力抑制依頼、および１２時〜１３時の出力抑制依頼があり、かつ６月２６日に１１時〜１２時の出力抑制依頼があった場合、出力抑制依頼時間および出力抑制依頼日数は、それぞれ３時間および２日となる。
【０１２１】
「（１）出力抑制依頼時間」、「（２）出力抑制依頼電力量」、「（３）出力抑制依頼回数」、「（４）出力抑制依頼日数」、「（５）サブ抑制期間における予測出力量」、「（６）出力抑制相当価格（実績）」、「（７）出力抑制相当価格（予測）」および「（８）出力抑制未達度」は、たとえば、積算依頼時間Ｖ１、出力抑制量Ｖ２、積算依頼回数Ｖ３、積算依頼日数Ｖ４、予測出力量Ｖ５、実績価格Ｖ６、予測価格Ｖ７および未達度Ｖ８をそれぞれソートキーに設定するための要素である。これらの詳細については、後述する。
【０１２２】
ユーザは、たとえば、ポインティングデバイスを用いてドロップダウンリストＤＬｓにおける各要素のうちのいずれか１つをクリックすることにより、ソートキーを選択することが可能である。
【０１２３】
（発電容量範囲）
ドロップダウンリストＤＬｃは、たとえば、検索対象とすべき発電容量の範囲（以下、発電容量範囲とも称する。）をユーザが選択するために用いられる。発電容量は、たとえば抑制依頼対象の発電事業者が運用する発電装置２０３の発電電力の定格である。
【０１２４】
具体的には、ドロップダウンリストＤＬｃには、たとえば、「（１）１０ｋＷ以下」、「（２）１０〜５０ｋＷ」、「（３）５０〜５００ｋＷ」、「（４）５００ｋＷ以上」および「（５）範囲指定なし」の５つの要素が含まれる。
【０１２５】
「（１）１０ｋＷ以下」、「（２）１０〜５０ｋＷ」、「（３）５０〜５００ｋＷ」および「（４）５００ｋＷ以上」は、たとえば、各要素の示す範囲を発電容量範囲に設定するための要素である。「（５）範囲指定なし」は、たとえば、発電容量範囲を設けないための要素である。
【０１２６】
「（１）１０ｋＷ以下」の示す発電容量範囲には、たとえば家庭用の太陽光発電装置が含まれる。「（２）１０〜５０ｋＷ」および「（３）５０〜５００ｋＷ」の示す発電容量範囲には、たとえば中小規模の太陽光発電装置の一部が含まれる。「（４）５００ｋＷ以上」の示す発電容量範囲には、たとえば中小規模の太陽光発電装置の一部および大規模の太陽光発電装置が含まれる。
【０１２７】
ユーザは、たとえば、ポインティングデバイスを用いてドロップダウンリストＤＬｃにおける「（１）１０ｋＷ以下」、「（２）１０〜５０ｋＷ」、「（３）５０〜５００ｋＷ」および「（４）５００ｋＷ以上」のいずれか１つをクリックすることにより、発電容量範囲を選択することが可能である。また、ユーザは、たとえばドロップダウンリストＤＬｃにおける「（５）範囲指定なし」をクリックして選択することにより、発電容量範囲を設けない設定を行うことが可能である。
【０１２８】
なお、発電容量範囲の分け方は、ドロップダウンリストＤＬｃにおける「（１）１０ｋＷ以下」、「（２）１０〜５０ｋＷ」、「（３）５０〜５００ｋＷ」および「（４）５００ｋＷ以上」に限らず、他の分け方であってもよい。
【０１２９】
（エリア選択）
ドロップダウンリストＤＬａは、たとえば、ユーザがサブエリアを選択するために用いられる。サブエリアは、たとえば、抑制指令Ｃ１に含まれる対象エリアを複数に分割したエリアであって検索対象とすべき発電事業者の位置するエリアである。サブエリアは、対象エリアと同様に、都道府県または市町村等の行政区画で定められるエリアであってもよいし、系統の送電網に基づくエリアであってもよい。
【０１３０】
このように、対象エリアを分割したサブエリアを設ける構成により、電力管理装置１０１において、抑制対象の発電事業者の選定をよりきめ細かく行うことができる。
【０１３１】
具体的には、ドロップダウンリストＤＬａには、たとえば、「（１）第１エリア」、「（２）第２エリア」、「（３）第３エリア」および「（４）対象エリア全域」の４つの要素が含まれる。
【０１３２】
「（１）第１エリア」、「（２）第２エリア」および「（３）第３エリア」は、たとえば、各要素の示すエリアをサブエリアに設定するための要素である。「（４）対象エリア全域」は、たとえば、サブエリアを設けないための要素である。
【０１３３】
ユーザは、たとえば、ポインティングデバイスを用いてドロップダウンリストＤＬａにおける「（１）第１エリア」、「（２）第２エリア」および「（３）第３エリア」のいずれか１つをクリックすることにより、対応のサブエリアを選択することが可能である。また、ユーザは、たとえばドロップダウンリストＤＬａにおける「（４）対象エリア全域」をクリックして選択することにより、サブエリアを設けない設定を行うことが可能である。
【０１３４】
（検索実行）
検索実行ボタンＢｅは、たとえば、対象供給の抑制を依頼する発電事業者の候補を検索するための処理（以下、候補検索処理とも称する。）をユーザが電力管理装置１０１に開始させるために用いられる。
【０１３５】
ユーザは、たとえば、ポインティングデバイスを用いて検索実行ボタンＢｅをクリックすることにより電力管理装置１０１に候補検索処理を開始させることが可能である。
【０１３６】
［検索結果画面］
図３は、本発明の第１の実施の形態に係る電力管理システムにおいて、表示装置に表示された画面の一例を示す図である。
【０１３７】
図３を参照して、表示装置１１１には、たとえば対象供給の抑制の依頼対象となる発電事業者を決定するための画面Ｓｃ２が表示されている。画面Ｓｃ２は、リストエリアＬＡと、決定ボタンＢｆと、戻りボタンＢｒとを含む。リストエリアＬＡは、発電事業者の候補のリストである候補リストＬｉｓｔ１と、５つのチェックボックスＣＢと、昇順ボタンＢａ１，Ｂａ２と、降順ボタンＢｄ１，Ｂｄ２と、ページ切替ボタンＢｎ，Ｂｐとを含む。
【０１３８】
（候補リストＬｉｓｔ１）
候補リストＬｉｓｔ１には、対象供給を抑制する候補者である発電事業者の名称が、抑制電力および抑制レベル、ならびに図３に示す画面Ｓｃ１において選択されたソートキーすなわち出力抑制依頼時間とともに示されている。上記候補者は、たとえば画面Ｓｃ１において選択されたサブ抑制期間、ソートキー、発電容量範囲、サブエリアおよび実績集計期間に基づいて検索されて候補リストＬｉｓｔ１にリストアップされている。
【０１３９】
図３には、サブ抑制期間、ソートキー、発電容量範囲、サブエリアおよび実績集計期間として、それぞれ「（１）平成２７年７月１日１３：００〜１４：００」、「（１）出力抑制依頼時間」、「（３）５０〜５００ｋＷ」、「（１）第１エリア」および「（１）今年度」が選択された場合における候補リストＬｉｓｔ１が示されている。図３では、１ページ当たりの最大表示件数がたとえば５件であるので、２ページにわたる候補リストＬｉｓｔ１の１ページ目において１〜５件目の候補が表示されている。
【０１４０】
ユーザは、たとえば、ポインティングデバイスを用いてページ切替ボタンＢｐをクリックすることにより、候補リストＬｉｓｔ１のページを次のページに切り替えることが可能である。
【０１４１】
また、ユーザは、たとえば、ポインティングデバイスを用いてページ切替ボタンＢｎをクリックすることにより、候補リストＬｉｓｔ１のページを前のページに切り替えることが可能である。
【０１４２】
候補リストＬｉｓｔ１には、発電事業者ごとに、抑制電力および対応の抑制レベル、ならびにソートキーすなわち出力抑制時間が示されている。また、チェックボックスＣＢは、候補リストＬｉｓｔ１の行に対応して設けられている。
【０１４３】
ユーザは、たとえば、ポインティングデバイスを用いて昇順ボタンＢａ１をクリックすることにより、候補リストＬｉｓｔ１の各行を２列目の値すなわち抑制電力の値に基づいて昇順に並べることが可能である。
【０１４４】
また、ユーザは、たとえば、ポインティングデバイスを用いて降順ボタンＢｄ１をクリックすることにより、候補リストＬｉｓｔ１の各行を２列目の値すなわち抑制電力の値に基づいて降順に並べることが可能である。
【０１４５】
また、ユーザは、たとえば、ポインティングデバイスを用いて昇順ボタンＢａ２をクリックすることにより、候補リストＬｉｓｔ１の各行を３列目の値、ここでは出力抑制依頼時間の値に基づいて昇順に並べることが可能である。
【０１４６】
また、ユーザは、たとえば、ポインティングデバイスを用いて降順ボタンＢｄ２をクリックすることにより、候補リストＬｉｓｔ１の各行を３列目の値、ここでは出力抑制依頼時間の値に基づいて降順に並べることが可能である。
【０１４７】
ユーザは、たとえば、候補リストＬｉｓｔ１のページを切り替えたり、候補リストＬｉｓｔ１の各行を並べ替えたりしながら、サブ抑制期間において対象供給を抑制させたい発電事業者を抽出し、抽出した発電事業者の行に対応するチェックボックスＣＢをチェックする。
【０１４８】
図３では、発電事業者Ａ，発電事業者Ｂ，発電事業者Ｄ，発電事業者Ｇがユーザにより抽出されたので、対応のチェックボックスＣＢがチェックされている。
【０１４９】
ユーザは、たとえば、ポインティングデバイスを用いて決定ボタンＢｆをクリックすることにより、対象供給の抑制の依頼対象となる発電事業者をチェックボックスＣＢがチェックされた発電事業者に決定することが可能である。
【０１５０】
また、ユーザは、たとえば、ポインティングデバイスを用いて戻りボタンＢｒをクリックすることにより、図２に示す画面Ｓｃｒ１に戻って検索条件を変更することが可能である。
【０１５１】
［データベース］
再び図１を参照して、データベース１１２は、たとえば、発電事業者情報、抑制履歴情報、価格情報、気象予報情報および気象出力相関情報を保持する。価格情報には、たとえば、時間ごとの電力量の買取単価が含まれる。気象予報情報には、たとえば、対象エリアまたはサブエリアごとの気象予報が含まれる。気象出力相関情報には、たとえば、登録されている発電事業者ごとに、気象条件と当該発電事業者が運用する発電装置２０３の当該気象条件下の出力との相関関係が含まれる。
【０１５２】
図４は、本発明の第１の実施の形態に係る電力管理システムにおけるデータベースに含まれる発電事業者情報の一例を示す図である。
【０１５３】
図４を参照して、発電事業者情報Ｐｔｂｌには、たとえば、登録されている発電事業者の名称および所在地、発電装置２０３の種類および発電容量、ならびに登録抑制レベルが含まれる。登録抑制レベルは、発電事業者によって予め登録された抑制レベルである。
【０１５４】
たとえば、発電事業者Ａは、自己が運用する発電装置２０３のメンテナンスを行うため、当該発電装置２０３の定格の６０％しか出力できない場合、当該メンテナンスの期間中、発電事業者情報Ｐｔｂｌに「４０％」の抑制レベルを登録しておく。また、発電事業者Ｃは、たとえば、自己が運用する発電装置２０３が発電を行わない期間中、発電事業者情報Ｐｔｂｌに「１００％」の抑制レベルを登録しておく。
【０１５５】
また、たとえば、発電事業者Ｅは、自己が運用する発電装置２０３の出力抑制を定格の５０％にとどめたい場合、発電事業者情報Ｐｔｂｌに「５０％」の抑制レベルを登録する。
【０１５６】
また、たとえば、電力管理装置１０１により決定される抑制レベルを受け入れることに同意している発電事業者は、抑制レベルを登録しない。
【０１５７】
図５は、本発明の第１の実施の形態に係る電力管理システムにおけるデータベースに含まれる抑制履歴情報の一例を示す図である。
【０１５８】
図５を参照して、抑制履歴情報Ｈｔｂｌには、たとえば、電力管理装置１０１が、発電事業者に依頼した対象供給の抑制に関する内容の履歴が含まれる。より詳細には、当該履歴は、たとえばサブ抑制期間および抑制レベルの履歴である。
【０１５９】
［電力管理装置］
図６は、本発明の第１の実施の形態に係る電力管理システムにおける電力管理装置の構成を示す図である。
【０１６０】
図６を参照して、電力管理装置１０１は、通信部（通知部および取得部）２１と、情報作成部２２と、履歴情報取得部２３と、操作情報取得部２５と、表示制御部２６とを備える。
【０１６１】
電力管理装置１０１における通信部２１は、たとえば、系統側管理装置１５１および発電制御装置２０２と情報の送受信を行う。
【０１６２】
履歴情報取得部２３は、対象供給の過去の抑制に関する抑制履歴情報Ｈｔｂｌを取得する。たとえば、履歴情報取得部２３は、情報作成部２２から履歴情報取得命令を受けて、抑制履歴情報Ｈｔｂｌをデータベース１１２から取得し、取得した抑制履歴情報Ｈｔｂｌを情報作成部２２へ出力する。
【０１６３】
通信部２１は、たとえば、系統側管理装置１５１から抑制指令Ｃ１を受信すると、受信した抑制指令Ｃ１を情報作成部２２へ出力する。
【０１６４】
図７は、本発明の第１の実施の形態に係る電力管理装置における情報作成部の構成を示す図である。
【０１６５】
図７を参照して、情報作成部２２は、条件設定部４１と、画面情報作成部４２と、検索処理部４３と、単位抑制指令作成部４４とを含む。
【０１６６】
図６および図７を参照して、情報作成部２２は、電力系統側から抑制指令Ｃ１を受けて、履歴情報取得部２３によって取得された抑制履歴情報Ｈｔｂｌに基づいて、対象供給の抑制に関する内容を示す出力抑制情報、たとえば、図３に示す候補リストＬｉｓｔ１を作成する。
【０１６７】
［検索条件設定処理］
情報作成部２２における条件設定部４１は、たとえば、通信部２１から抑制指令Ｃ１を受けると、受けた抑制指令Ｃ１に基づいて、検索条件を設定する検索条件設定処理を行う。
【０１６８】
より詳細には、条件設定部４１は、たとえば、抑制指令Ｃ１から抑制期間ＣＰの開始タイミングおよび長さ、ならびに対象供給の抑制を行う対象エリアを取得する。
【０１６９】
条件設定部４１は、たとえば、電力系統側からの抑制指令Ｃ１の示す抑制期間ＣＰを複数のサブ抑制期間に分割する。具体的には、条件設定部４１は、たとえば、取得した抑制期間ＣＰの開始タイミングおよび長さに基づいて、図２に示すドロップダウンリストＤＬｐの各要素の示す１時間単位の２つのサブ抑制期間を設定する。
【０１７０】
また、条件設定部４１は、たとえば、電力系統側からの抑制指令Ｃ１の示す対象エリアを複数のサブエリアに分割する。具体的には、条件設定部４１は、たとえば、取得した対象エリアを３つに分割して、図２に示すドロップダウンリストＤＬａの各要素の示す第１エリア、第２エリアおよび第３エリアを設定する。
【０１７１】
たとえば、条件設定部４１は、抑制指令Ｃ１には含まれていない、図２に示すドロップダウンリストＤＬｓ，ＤＬｃ，ＤＬｒの各要素についての情報をデフォルトで保持している。
【０１７２】
条件設定部４１は、たとえば、抑制期間ＣＰの開始タイミングおよび長さ、各サブ抑制期間および各サブエリア、ならびにドロップダウンリストＤＬｓ，ＤＬｃ，ＤＬｒの各要素についての情報Ｅ１を画面情報作成部４２へ出力する。
【０１７３】
画面情報作成部４２は、条件設定部４１から情報Ｅ１を受けると、受けた情報Ｅ１を用いて図２に示す画面Ｓｃ１を表示するための画面情報Ｓｃｉ１を作成し、作成した画面情報Ｓｃｉ１を表示制御部２６へ出力する。
【０１７４】
表示制御部２６は、たとえば、情報作成部２２における画面情報作成部４２から画面情報Ｓｃｉ１を受けると、受けた画面情報Ｓｃｉ１を用いて画面Ｓｃ１を表示装置１１１に表示する制御を行う。より詳細には、表示制御部２６は、たとえば、画面情報Ｓｃｉ１を表示装置１１１へ送信する。
【０１７５】
図８は、本発明の第１の実施の形態に係る電力管理システムにおける表示装置の構成を示す図である。
【０１７６】
図８を参照して、表示装置１１１は、画面情報取得部７１と、制御部７２とを備える。
【０１７７】
表示装置１１１における画面情報取得部７１は、抑制履歴情報Ｈｔｂｌに基づいて作成された、対象供給の抑制に関する内容を示す出力抑制情報に基づく画面情報Ｓｃｉ１を取得する。
【０１７８】
具体的には、画面情報取得部７１は、たとえば、電力管理装置１０１から画面情報Ｓｃｉ１を受信すると、受信した画面情報を制御部７２へ出力する。
【０１７９】
制御部７２は、画面情報取得部７１によって取得された画面情報Ｓｃｉ１の内容を表示する。より詳細には、制御部７２は、たとえば、画面情報取得部７１から画面情報Ｓｃｉ１を受けると、受けた画面情報Ｓｃｉ１を用いて画面Ｓｃ１を表示する。
【０１８０】
ユーザは、たとえば、表示装置１１１に表示された画面Ｓｃ１を見ながらポインティングデバイスでドロップダウンリストＤＬｐ，ＤＬｓ，ＤＬｃ，ＤＬａ，ＤＬｒを操作して、サブ抑制期間、ソートキー、発電容量範囲、サブエリアおよび実績集計期間をそれぞれ設定する。
【０１８１】
この場合、ユーザは、たとえば、ドロップダウンリストＤＬｐ，ＤＬｓ，ＤＬｃ，ＤＬａ，ＤＬｒにおける「（１）平成２７年７月１日１３：００〜１４：００」，「（１）出力抑制依頼時間」，「（３）５０〜５００ｋＷ」，「（１）第１エリア」，「（１）今年度」の要素をそれぞれ選択し、サブ抑制期間，ソートキー，発電容量範囲，サブエリア，実績集計期間を設定する。
【０１８２】
再び図６および図７を参照して、操作情報取得部２５は、たとえば、ユーザによるドロップダウンリストＤＬｐ，ＤＬｓ，ＤＬｃ，ＤＬａ，ＤＬｒに対するポインティングデバイスの操作の内容を取得し、取得した操作の内容を示す操作情報を作成して情報作成部２２における条件設定部４１へ出力する。
【０１８３】
条件設定部４１は、たとえば、操作情報取得部２５から受ける操作情報に基づいて、ドロップダウンリストＤＬｐ，ＤＬｓ，ＤＬｃ，ＤＬａ，ＤＬｒにおいてそれぞれ選択された各要素を取得する。
【０１８４】
ユーザは、たとえば、各ドロップダウンリストの選択が完了すると、画面Ｓｃ１を見ながらポインティングデバイスで検索実行ボタンＢｅをクリックする。
【０１８５】
操作情報取得部２５は、たとえば、ユーザによる検索実行ボタンＢｅに対するポインティングデバイスの操作の内容を取得し、取得した操作の内容を示す操作情報を作成して情報作成部２２における条件設定部４１へ出力する。
【０１８６】
条件設定部４１は、たとえば、操作情報取得部２５から受ける操作情報に基づいて、検索実行ボタンＢｅがユーザによりクリックされたことを認識し、ドロップダウンリストＤＬｐ，ＤＬｓ，ＤＬｃ，ＤＬａ，ＤＬｒにおいてそれぞれ選択された各要素を検索条件として決定する。条件設定部４１は、たとえば、決定した検索条件を抑制指令Ｃ１とともに検索処理部４３へ出力する。
【０１８７】
［候補検索処理］
検索処理部４３は、条件設定部４１から検索条件および抑制指令Ｃ１を受けると、履歴情報取得部２３へ履歴情報取得命令を出力し、当該履歴情報取得命令の応答としてたとえば図５に示す抑制履歴情報Ｈｔｂｌを履歴情報取得部２３から受ける。
【０１８８】
検索処理部４３は、たとえば、抑制履歴情報Ｈｔｂｌおよび検索条件に基づいて、対象供給を抑制する複数の候補者、すなわち対象供給の抑制の依頼先とすべき発電事業者の候補を検索する候補検索処理を行う。
【０１８９】
たとえば、検索処理部４３は、データベース１１２における図４に示す発電事業者情報Ｐｔｂｌに基づいて、検索条件に合致する発電事業者の名称を取得する。
【０１９０】
より詳細には、検索処理部４３は、発電事業者情報Ｐｔｂｌを参照しながら、検索条件の示す「５０〜５００ｋＷ」の発電容量を有し、かつ所在地が「第１エリア」の発電事業者を特定し、特定した発電事業者の名称を含む候補者グループＧｒ１を作成する。
【０１９１】
［候補者の除外］
検索処理部４３は、たとえば、抑制履歴情報Ｈｔｂｌに基づいて、対象供給の抑制依頼時間の累積値または対象供給の抑制依頼日数の累積値が所定のしきい値以上である者を、対象供給を抑制する対象者から除外する。
【０１９２】
具体的には、検索処理部４３は、たとえば、非特許文献１に示す「３６０時間ルール」の適用を受ける候補者については、抑制履歴情報Ｈｔｂｌの示すサブ抑制期間に基づいて、サブ抑制期間の長さの１年にわたる累積値を算出し、算出した累積値が３６０時間を超えている候補者を候補者グループＧｒ１から除外する。また、検索処理部４３は、たとえば、非特許文献１に示す「７２０時間ルール」の適用を受ける候補者についても、同様に処理する。
【０１９３】
また、検索処理部４３は、たとえば、非特許文献１に示す「３０日ルール」の適用を受ける候補者については、抑制履歴情報Ｈｔｂｌの示すサブ抑制期間に基づいて、対象供給の依頼を受けた１年あたりの日数を算出し、算出した日数が３０を超えている候補者を候補者グループＧｒ１から除外する。
【０１９４】
検索処理部４３は、たとえば、複数のサブ抑制期間のうち、いずれかのサブ抑制期間において対象供給を抑制する者を、他のサブ抑制期間において対象供給を抑制する対象者から除外する。
【０１９５】
具体的には、検索処理部４３は、たとえば、検索条件の示す「平成２７年７月１日１３：００〜１４：００」と異なるサブ抑制期間である「平成２７年７月１日１４：００〜１５：００」において対象者として決定している候補者を候補者グループＧｒ１から除外する。
【０１９６】
なお、対象供給の抑制を受け入れることが困難な日時を発電事業者が登録可能である場合、検索処理部４３は、登録した日時にサブ抑制期間が含まれる候補者をグループＧｒ１から除外してもよい。
【０１９７】
［候補者の抑制レベル］
検索処理部４３は、たとえば、対象供給の抑制に関する内容として、発電装置２０３の発電容量を基準とした抑制レベルを示す出力抑制情報を作成する。
【０１９８】
具体的には、検索処理部４３は、たとえば、候補者グループＧｒ１に含まれる発電事業者に対して、発電装置２０３の発電容量を基準とした抑制レベルを割り当てる。
【０１９９】
より詳細には、検索処理部４３は、たとえば、発電事業者情報Ｐｔｂｌにおいて抑制レベルを登録した発電事業者については、登録されている抑制レベルを適用する。
【０２００】
また、検索処理部４３は、たとえば、発電事業者情報Ｐｔｂｌにおいて抑制レベルが登録されていない発電事業者については、所定のアルゴリズムを用いて抑制レベルを算出して抑制レベルを割り当てる。
【０２０１】
たとえば、検索処理部４３は、発電装置２０３の設置コスト、当該設置コストとこれまでの売電による売り上げとに基づく利益、発電事業者の収支、および発電装置２０３の導入年数等に基づいて抑制レベルを算出するアルゴリズムを用いる。
【０２０２】
［ソートキーの算出］
また、検索処理部４３は、たとえば、対象供給の過去の抑制依頼時間、対象供給の過去の抑制量、対象供給の過去の抑制回数、対象供給の過去の抑制依頼日数および対象供給の予測量のうちの少なくともいずれか１つに基づいて出力抑制情報、具体的にはソートキーを作成する。
【０２０３】
（（１）出力抑制依頼時間）
具体的には、たとえば、上述したように、ユーザがソートキーとして「出力抑制依頼時間」を選択した場合、検索処理部４３は、対象供給の過去の抑制依頼時間に基づいて、候補者グループＧｒ１に含まれる発電事業者のソートに用いるソートキーを算出する。
【０２０４】
より詳細には、検索処理部４３は、たとえば、候補者のサブ抑制期間および抑制レベルの履歴を抑制履歴情報Ｈｔｂｌから取得する。
【０２０５】
そして、検索処理部４３は、たとえば、取得したサブ抑制期間の履歴に基づいて、ソートキーに用いる積算依頼時間Ｖ１を発電事業者ごとに算出する。
【０２０６】
具体的には、検索処理部４３は、たとえば、実績集計期間である「今年度」に含まれるサブ抑制期間の長さを発電事業者ごとに集計することにより、積算依頼時間Ｖ１を発電事業者ごとに算出する。
【０２０７】
（（２）出力抑制依頼電力量）
たとえば、ユーザがソートキーとして「出力抑制依頼電力量」を選択した場合、検索処理部４３は、対象供給の過去の抑制量に基づいて、ソートキーに用いる出力抑制量Ｖ２を発電事業者ごとに算出する。
【０２０８】
より詳細には、検索処理部４３は、たとえば、サブ抑制期間および抑制レベルの履歴、ならびに発電事業者情報Ｐｔｂｌの示す発電容量に基づいて出力抑制量Ｖ２を発電事業者ごとに算出する。
【０２０９】
具体的には、検索処理部４３は、たとえば、実績集計期間である「今年度」に含まれる各サブ抑制期間の長さ、抑制レベルおよび発電容量を乗じて抑制電力量を算出する。検索処理部４３は、たとえば、算出したサブ抑制期間ごとの抑制電力量を発電事業者ごとに集計することにより、出力抑制量Ｖ２を発電事業者ごとに算出する。
【０２１０】
（（３）出力抑制依頼回数）
たとえば、ユーザがソートキーとして「出力抑制依頼回数」を選択した場合、検索処理部４３は、対象供給の過去の抑制回数に基づいて、ソートキーに用いる積算依頼回数Ｖ３を発電事業者ごとに算出する。
【０２１１】
より詳細には、検索処理部４３は、たとえば、サブ抑制期間の履歴に基づいて積算依頼回数Ｖ３を発電事業者ごとに算出する。
【０２１２】
具体的には、検索処理部４３は、たとえば、実績集計期間である「今年度」に含まれるサブ抑制期間の個数を発電事業者ごとに集計することにより、積算依頼回数Ｖ３を発電事業者ごとに算出する。
【０２１３】
（（４）出力抑制依頼日数）
たとえば、ユーザがソートキーとして「出力抑制依頼日数」を選択した場合、検索処理部４３は、対象供給の過去の抑制依頼日数に基づいて、ソートキーに用いる積算依頼日数Ｖ４を発電事業者ごとに算出する。
【０２１４】
より詳細には、検索処理部４３は、たとえば、サブ抑制期間の履歴に基づいて、ソートキーに用いる積算依頼日数Ｖ４を発電事業者ごとに算出する。
【０２１５】
具体的には、検索処理部４３は、たとえば、実績集計期間である「今年度」において、サブ抑制期間が含まれる日数を発電事業者ごとに集計することにより、積算依頼日数Ｖ４を発電事業者ごとに算出する。
【０２１６】
（（５）サブ抑制期間における予測出力量）
たとえば、ユーザがソートキーとして「サブ抑制期間における予測出力量」を選択した場合、検索処理部４３は、対象供給の予測量に基づいて、ソートキーに用いる予測出力量Ｖ５を発電事業者ごとに算出する。たとえば、検索処理部４３は、気象予報情報および気象出力相関情報に基づいて対象供給の予測量を算出する。
【０２１７】
具体的には、検索処理部４３は、たとえば、気象予報情報に基づいて、検索条件の示すサブ抑制期間における対象エリアまたは選択中のサブエリアの気象予報を取得する。また、検索処理部４３は、たとえば、気象出力相関情報に基づいて、取得した気象予報の示す気象条件での発電装置２０３の出力を対象供給の予測量として算出し、算出した出力と当該サブ抑制期間の長さとを乗じた値を予測出力量Ｖ５として発電事業者ごとに算出する。
【０２１８】
（（６）出力抑制相当価格（実績））
たとえば、ユーザがソートキーとして「出力抑制相当価格（実績）」を選択した場合、検索処理部４３は、価格情報に基づいて、ソートキーに用いる実績価格Ｖ６を発電事業者ごとに算出する。ここで、実績価格Ｖ６は、たとえば出力抑制量Ｖ２を電気料金に換算した値である。
【０２１９】
具体的には、検索処理部４３は、たとえば、実績集計期間である「今年度」に含まれるサブ抑制期間ごとに、抑制電力量と抑制した期間の買取単価とを乗じて期間抑制価格を算出する。検索処理部４３は、たとえば、算出したサブ抑制期間ごとの期間抑制価格を発電事業者ごとに集計することにより、実績価格Ｖ６を発電事業者ごとに算出する。
【０２２０】
（（７）出力抑制相当価格（予測））
たとえば、ユーザがソートキーとして「出力抑制相当価格（予測）」を選択した場合、検索処理部４３は、対象供給の予測量に基づいて、ソートキーに用いる予測価格Ｖ７を発電事業者ごとに算出する。具体的には、検索処理部４３は、たとえば、価格情報に基づいて、ソートキーに用いる予測価格Ｖ７を発電事業者ごとに算出する。ここで、予測価格Ｖ７は、たとえば、予測出力量Ｖ５に基づいて算出される、発電装置２０３が抑制する予定の抑制電力量を電気料金に換算した値である。
【０２２１】
より詳細には、検索処理部４３は、たとえば、予測出力量Ｖ５の大小に応じて抑制レベルを発電事業者ごとに算出する。そして、検索処理部４３は、たとえば、算出した抑制レベルと発電容量と検索条件の示すサブ抑制期間とを乗じることにより、当該サブ抑制期間において抑制する予定の抑制電力量を発電事業者ごとに算出する。
【０２２２】
検索処理部４３は、たとえば、算出した抑制電力量と当該サブ抑制期間の買取単価とを乗じて予測価格Ｖ７を発電事業者ごとに算出する。
【０２２３】
（（８）出力抑制未達度）
たとえば、ユーザがソートキーとして「出力抑制未達度」を選択した場合、検索処理部４３は、たとえば、対象供給の抑制依頼時間の累積値または対象供給の抑制依頼日数の累積値の所定の上限値までの残りに基づいて出力抑制情報を作成する、具体的には、ソートキーに用いる未達度Ｖ８を発電事業者ごとに算出する。
【０２２４】
具体的には、検索処理部４３は、たとえば、非特許文献１に示す「３６０時間ルール」または「７２０時間ルール」の適用を受ける発電事業者については、抑制履歴情報Ｈｔｂｌの示すサブ抑制期間に基づいて、サブ抑制期間の長さの１年にわたる累積値を発電事業者ごとに算出し、ルール上限値から当該累積値を差し引くことにより残時間を発電事業者ごとに算出する。検索処理部４３は、たとえば、算出した残時間とルール上限値との比から未達度Ｖ８を発電事業者ごとに算出する。
【０２２５】
また、検索処理部４３は、たとえば、非特許文献１に示す「３０日ルール」の適用を受ける発電事業者については、抑制履歴情報Ｈｔｂｌの示すサブ抑制期間に基づいて、サブ抑制期間を含む日数の１年にわたる累積値を発電事業者ごとに算出し、ルール上限値から当該累積値を差し引くことにより残日数を発電事業者ごとに算出する。検索処理部４３は、たとえば、算出した残日数とルール上限値との比から未達度Ｖ８を発電事業者ごとに算出する。
【０２２６】
なお、検索処理部４３は、積算依頼時間Ｖ１等の１種類のソートキーを作成する構成であるとしたが、これに限定するものではない。検索処理部４３は、積算依頼時間Ｖ１，出力抑制量Ｖ２等の２種類以上のソートキーを作成する構成であってもよい。
【０２２７】
［ソート処理］
検索処理部４３は、たとえば、対象供給の抑制に関する内容として、対象供給を抑制する複数の候補者を示す出力抑制情報を作成する。また、検索処理部４３は、たとえば、サブ抑制期間ごとの出力抑制情報を作成する。具体的には、検索処理部４３は、たとえば、候補リストＬｉｓｔ１を出力抑制情報として作成する。
【０２２８】
より詳細には、検索処理部４３は、たとえば、候補者グループＧｒ１に含まれる各発電事業者の名称ごとに、当該名称、抑制電力および抑制レベル、ならびにソートキーを含む行を有する候補リストＬｉｓｔ１を作成し、作成した候補リストＬｉｓｔ１における各行を当該ソートキーで昇順にソートする。ここで、抑制電力は、たとえば、対応の発電事業者が運用する発電装置２０３の定格に抑制レベルを乗じることにより算出される。
【０２２９】
検索処理部４３は、たとえば、ソートした候補リストＬｉｓｔ１、および検索条件についての情報Ｅ２を画面情報作成部４２へ出力する。
【０２３０】
なお、検索処理部４３は、たとえば、所定条件を満たす行を候補リストＬｉｓｔ１から削除してもよい。具体的には、検索処理部４３は、たとえば、ソートした候補リストＬｉｓｔ１における行ごとに、発電事業者の運用する発電装置２０３の抑制電力量を計算する。検索処理部４３は、たとえば、候補リストＬｉｓｔ１における上位の行から順に抑制電力量を足し合わせていき、抑制電力量の合計が抑制指令Ｃ１の示す総抑制電力量を超えると、超えた順位より下位の行を候補リストＬｉｓｔ１から削除する。
【０２３１】
また、検索処理部４３は、たとえば、ソートした候補リストＬｉｓｔ１において、所定順位より下位の行を候補リストＬｉｓｔ１から削除する。
【０２３２】
画面情報作成部４２は、条件設定部４１から情報Ｅ２を受けると、受けた情報Ｅ２を用いて図３に示す画面Ｓｃ２を表示するための画面情報Ｓｃｉ２を作成し、作成した画面情報Ｓｃｉ２を表示制御部２６へ出力する。
【０２３３】
表示制御部２６は、たとえば、出力抑制情報の示す複数の候補者を画面に表示する制御を行う。具体的には、表示制御部２６は、たとえば、情報作成部２２における画面情報作成部４２から画面情報Ｓｃｉ２を受けると、受けた画面情報Ｓｃｉ２に基づいて表示装置１１１に画面Ｓｃ２を表示する制御を行う。より詳細には、表示制御部２６は、たとえば、画面情報Ｓｃｉ２を表示装置１１１へ送信する。
【０２３４】
再び図８を参照して、画面情報取得部７１は、たとえば、電力管理装置１０１から画面情報Ｓｃｉ２を受信すると、受信した画面情報Ｓｃｉ２を制御部７２へ出力する。
【０２３５】
制御部７２は、たとえば、画面情報取得部７１から画面情報Ｓｃｉ２を受けると、受けた画面情報Ｓｃｉ２を用いて画面Ｓｃ２を表示する。
【０２３６】
ユーザは、たとえば、サブ抑制期間において対象供給の抑制を行わせたい発電事業者を選択する。具体的には、ユーザは、たとえば、表示装置１１１に表示された画面Ｓｃ２を見ながらポインティングデバイスで昇順ボタンＢａ１，Ｂａ２、降順ボタンＢｄ１，Ｂｄ２、およびページ切替ボタンＢｎ，Ｂｐを操作して候補リストＬｉｓｔ１の内容を確認しながら、サブ抑制期間において対象供給の抑制を行わせたい発電事業者の行に対応するチェックボックスＣＢをチェックする。
【０２３７】
再び図６および図７を参照して、操作情報取得部２５は、たとえば、候補者を選択する操作の内容を示す操作情報を取得する。具体的には、操作情報取得部２５は、たとえば、ユーザによるチェックボックスＣＢに対するポインティングデバイスの操作の内容を取得し、取得した操作の内容を示す操作情報を作成して情報作成部２２における検索処理部４３へ出力する。
【０２３８】
検索処理部４３は、たとえば、操作情報取得部２５から受ける操作情報に基づいて、チェックされたチェックボックスＣＢに対応する、候補リストＬｉｓｔ１における各行を取得する。
【０２３９】
ユーザは、たとえば、発電事業者の抽出を終えると、ポインティングデバイスを用いて決定ボタンＢｆをクリックする。
【０２４０】
操作情報取得部２５は、たとえば、ユーザによる決定ボタンＢｆに対するポインティングデバイスの操作の内容を取得し、取得した操作の内容を示す操作情報を作成して情報作成部２２における検索処理部４３へ出力する。
【０２４１】
情報作成部２２は、たとえば、抑制履歴情報Ｈｔｂｌに基づいて、対象供給の抑制を行うべき１または複数の対象者を決定し、対象供給の抑制に関する内容として、決定した対象者に対する対象供給の抑制指令Ｃ２を示す出力抑制情報、具体的には単位抑制指令を作成する。
【０２４２】
具体的には、検索処理部４３は、たとえば、操作情報取得部２５から受ける操作情報に基づいて、決定ボタンＢｆがユーザによりクリックされたことを認識し、チェックされたチェックボックスＣＢに対応する、候補リストＬｉｓｔ１における各行に含まれる候補者を対象者として決定する。
【０２４３】
検索処理部４３は、決定した対象者を含む１または複数の行（以下、対象行とも称する。）の内容を候補リストＬｉｓｔ１から取得し、取得した１または複数の対象行の内容を検索条件の示すサブ抑制期間とともに単位抑制指令作成部４４へ出力する。
【０２４４】
単位抑制指令作成部４４は、たとえば、検索処理部４３から１または複数の対象行の内容およびサブ抑制期間を受けると、受けた１または複数の対象行の内容およびサブ抑制期間に基づいて、検索処理部４３により決定された対象者単位で単位抑制指令を作成する。
【０２４５】
具体的には、単位抑制指令作成部４４は、たとえば、対象行の内容から発電事業者の名称および抑制レベルを取得し、取得した名称および抑制レベル、ならびにサブ抑制期間を含み、かつ当該名称の発電事業者を宛先とした単位抑制指令を作成する。単位抑制指令作成部４４は、たとえば、作成した１または複数の単位抑制指令を通信部２１へ出力する。
【０２４６】
通信部２１は、たとえば、情報作成部２２によって作成された出力抑制情報に基づいて、抑制指令Ｃ２を、対象供給の抑制を行うべき１または複数の対象者に通知する。
【０２４７】
より詳細には、通信部２１は、たとえば、操作情報の示す操作に対応する候補者に抑制指令Ｃ２すなわち単位抑制指令を通知する。
【０２４８】
具体的には、通信部２１は、たとえば、単位抑制指令作成部４４から１または複数の単位抑制指令を受けると、受けた１または複数の単位抑制指令を当該単位抑制指令の宛先の発電事業者へ送信する。
【０２４９】
図９は、本発明の第１の実施の形態に係る電力管理システムにおける発電制御装置の構成を示す図である。
【０２５０】
図９を参照して、発電制御装置２０２は、通信部（取得部）８１と、制御部８２と、電力処理部８３と、抑制量情報作成部８４とを備える。
【０２５１】
発電制御装置２０２における通信部８１は、たとえば、電力管理装置１０１と情報の送受信を行う。
【０２５２】
より詳細には、通信部８１は、抑制履歴情報Ｈｔｂｌに基づいて作成された、対象供給の抑制に関する内容を示す出力抑制情報を取得する。具体的には、通信部８１は、たとえば、電力管理装置１０１から単位抑制指令を受信すると、受信した単位抑制指令を制御部８２へ出力する。
【０２５３】
制御部８２は、通信部８１によって取得された出力抑制情報に基づいて発電装置２０３を制御する。
【０２５４】
具体的には、制御部８２は、たとえば、通信部８１から単位抑制指令を受けると、受けた単位抑制指令に従って、自己の発電制御装置２０２が管理する発電装置２０３の対象供給を抑制するための制御を行う。
【０２５５】
また、制御部８２は、対象供給を抑制するための制御内容を抑制量情報作成部８４へ出力する。
【０２５６】
抑制量情報作成部８４は、たとえば、発電装置２０３において抑制された電力量を示す抑制量情報を作成する。より詳細には、抑制量情報作成部８４は、たとえば、制御部８２の発電装置２０３に対する対象供給を抑制するための制御の内容、および発電装置２０３において発電された電力量に基づいて抑制量情報を作成する。抑制量情報作成部８４は、たとえば、作成した抑制量情報を通信部８１経由で電力管理装置１０１へ送信する。
【０２５７】
また、制御部８２は、電力処理部８３を制御することにより、逆潮流の制御および電力需要施設への供給の制御を行う。
【０２５８】
電力処理部８３は、たとえば、制御部８２による制御に従って、発電装置２０３において発電された電力の変換を行い、変換後の電力を系統へ出力したり、当該電力を電力需要施設へ出力したりする。
【０２５９】
再び図６および図７を参照して、データベース１１２が保持する抑制履歴情報Ｈｔｂｌは、たとえば、通信部２１によって対象者に通知された過去の単位抑制指令の内容を含む。
【０２６０】
具体的には、単位抑制指令作成部４４は、たとえば、１または複数の単位抑制指令を通信部２１へ出力する際、当該１または複数の単位抑制指令の内容をデータベース１１２に含まれる抑制履歴情報Ｈｔｂｌに追加する。
【０２６１】
したがって、抑制履歴情報Ｈｔｂｌでは、電力管理装置１０１が対象者に通知した過去の単位抑制指令の内容が蓄積されている。
【０２６２】
［ソートキーの変形例］
本発明の第１の実施の形態に係る電力管理装置では、検索処理部４３は、対象供給の過去の抑制依頼時間、対象供給の過去の抑制量、対象供給の過去の抑制回数、対象供給の過去の抑制依頼日数、および対象供給の予測量のうちの少なくともいずれか１つに基づいて出力抑制情報を作成する構成であるとしたが、これに限定するものではない。検索処理部４３は、これらに加えて、たとえば、発電装置２０３の初期コスト、発電装置２０３の導入期間の長さ、および発電装置２０３に関する収支のうちの少なくともいずれか１つに基づいて出力抑制情報、具体的にはソートキーを作成する構成であってもよい。
【０２６３】
ここで、発電装置２０３の初期コストは、たとえば発電に関連する設備の導入および設置に要したコストである。
【０２６４】
たとえば、検索処理部４３が発電装置２０３の初期コストをソートキーとして算出する構成により、候補リストＬｉｓｔ１において各発電事業者を初期コストの昇順に並べることができるので、ユーザは、初期コストのより少ない発電事業者から順に、対象供給を抑制する対象者として簡易に決定することができる。これにより、各発電事業者に対して、抑制に関するより公平な内容の割り当てを行うことができる。
【０２６５】
また、発電装置２０３の導入期間の長さは、たとえば発電に関連する設備を導入してから稼働させたトータルの期間である。
【０２６６】
たとえば、検索処理部４３が発電装置２０３の導入期間の長さをソートキーとして算出する構成により、候補リストＬｉｓｔ１において各発電事業者を発電装置２０３の導入期間の長さの降順に並べることができるので、ユーザは、発電装置２０３の導入期間の長さのより長い発電事業者、すなわち発電装置２０３の減価償却が進んでいる発電事業者から順に、対象供給を抑制する対象者として簡易に決定することができる。これにより、各発電事業者に対して、抑制に関するより公平な内容の割り当てを行うことができる。
【０２６７】
また、発電装置２０３に関する収支は、たとえば、発電装置２０３により生成された電力を売電することによりこれまでに得た利益と発電装置２０３に関連するこれまでのコストとの差に基づく総収支である。なお、発電装置２０３に関する収支は、たとえば発電装置２０３を管理する者の収支であってもよい。
【０２６８】
たとえば、検索処理部４３が発電装置２０３の総収支をソートキーとして算出する構成により、候補リストＬｉｓｔ１において各発電事業者を発電装置２０３の総収支の降順に並べることができるので、ユーザは、総収支における黒字額のより大きい発電事業者から順に、対象供給を抑制する対象者として簡易に決定することができる。これにより、各発電事業者に対して、抑制に関するより公平な内容の割り当てを行うことができる。
【０２６９】
［ソートキーの変形例その２］
たとえば、操作情報取得部２５は、各発電事業者が対象供給の抑制を許容する許容期間ＰＰおよび対象供給の抑制を許容しない非許容期間ＮＰＰの少なくともいずれか一方を取得する。
【０２７０】
具体的には、たとえば、発電事業者は、発電装置２０３または発電制御装置２０２のメンテナンスを行う期間を許容期間ＰＰに設定する。また、発電事業者は、たとえば、外出する等の発電装置２０３による発電電力の自家消費が少ない期間を非許容期間ＮＰＰに設定する。
【０２７１】
ユーザは、許容期間ＰＰおよび非許容期間ＮＰＰの少なくともいずれか一方を含む書面を各発電事業者から受け取り、受け取った当該書面の内容をキーボード等の入力デバイスを用いて電力管理装置１０１に入力する。
【０２７２】
操作情報取得部２５は、たとえば、ユーザによる入力デバイスの操作の内容を取得し、取得した操作の内容を示す操作情報を作成して情報作成部２２における検索処理部４３へ出力する。
【０２７３】
また、たとえば、ユーザは、許容期間ＰＰおよび非許容期間ＮＰＰの少なくともいずれか一方を含む許容期間情報をスマートホン等の無線端末装置から電力管理装置１０１へ送信する。電力管理装置１０１における通信部２１は、たとえば、当該ユーザの無線端末装置から許容期間情報を取得する、すなわち受信する。通信部２１は、たとえば、受信した許容期間情報を情報作成部２２における検索処理部４３へ出力する。
【０２７４】
情報作成部２２は、たとえば、操作情報取得部２５または通信部２１によって取得された許容期間ＰＰおよび非許容期間ＮＰＰの少なくともいずれか一方に基づいて出力抑制情報を作成する。
【０２７５】
より詳細には、情報作成部２２における検索処理部４３は、たとえば、操作情報取得部２５から操作情報を受けると、受けた操作情報から発電事業者ごとの許容期間ＰＰおよび非許容期間ＮＰＰの少なくともいずれか一方を取得する。
【０２７６】
また、検索処理部４３は、たとえば、通信部２１から許容期間情報を受けると、受けた許容期間情報から発電事業者ごとの許容期間ＰＰおよび非許容期間ＮＰＰの少なくともいずれか一方を取得する。
【０２７７】
たとえば、検索処理部４３は、サブ抑制期間が許容期間ＰＰに含まれるか否かを示す許容フラグをソートキーとして発電事業者ごとに算出する。また、検索処理部４３は、たとえば、サブ抑制期間が非許容期間ＮＰＰに含まれるか否かを示す非許容フラグをソートキーとして発電事業者ごとに算出する。
【０２７８】
検索処理部４３は、たとえば、発電事業者ごとの許容フラグに基づいて、候補リストＬｉｓｔ１における各行について、以下のようにソートする。すなわち、検索処理部４３は、たとえば、サブ抑制期間が許容期間ＰＰに含まれることを示す許容フラグに対応する発電事業者が上位となるように候補リストＬｉｓｔ１をソートする。
【０２７９】
このような構成により、候補リストＬｉｓｔ１において、対象供給の抑制を許容する発電事業者を上位に表示することができるので、ユーザは、対象供給の抑制を許容する発電事業者を優先的に対象者として簡易に決定することができる。
【０２８０】
また、検索処理部４３は、たとえば、発電事業者ごとの非許容フラグに基づいて、候補リストＬｉｓｔ１における各行について、以下のようにソートする。すなわち、検索処理部４３は、たとえば、サブ抑制期間が非許容期間ＮＰＰに含まれることを示す非許容フラグに対応する発電事業者が下位となるように候補リストＬｉｓｔ１をソートする。
【０２８１】
このような構成により、候補リストＬｉｓｔ１において、対象供給の抑制を許容しない発電事業者を下位に表示することができるので、ユーザは、対象供給の抑制を許容しない発電事業者を対象者として決定してしまう可能性を低くすることができる。
【０２８２】
したがって、各発電事業者に対して、抑制に関するより公平な内容の割り当てを行うことができる。
【０２８３】
［動作］
図１０は、本発明の第１の実施の形態に係る電力管理システムにおける対象供給の抑制処理のシーケンスの一例を示す図である。
【０２８４】
電力管理システム３０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０２８５】
図１０を参照して、まず、系統側管理装置１５１は、抑制指令Ｃ１を電力管理装置１０１へ送信する（ステップＳ１０２）。
【０２８６】
次に、電力管理装置１０１は、系統側管理装置１５１から抑制指令Ｃ１を受信すると、受信した抑制指令Ｃ１に基づいて、検索条件を設定するための画面Ｓｃ１を表示装置１１１に表示する（ステップＳ１０４）。
【０２８７】
次に、電力管理装置１０１は、ユーザにより検索実行ボタンＢｅがクリックされると、ユーザによるドロップダウンリストＤＬｐ，ＤＬｓ，ＤＬｃ，ＤＬａ，ＤＬｒに対する操作に基づいて検索条件を決定する（ステップＳ１０６）。
【０２８８】
次に、電力管理装置１０１は、データベース１１２から抑制履歴情報Ｈｔｂｌを取得する（ステップＳ１０８）。
【０２８９】
次に、電力管理装置１０１は、検索条件およびデータベース１１２における発電事業者情報Ｐｔｂｌに基づいて候補者グループＧｒ１を作成する（ステップＳ１１０）。
【０２９０】
次に、電力管理装置１０１は、除外対象者を候補者グループＧｒ１から除外する除外処理を行う（ステップＳ１１２）。ここで、除外対象者は、たとえば、対象供給の抑制依頼時間の累積値または供給の抑制依頼日数の累積値が所定のしきい値以上である者、および複数のサブ抑制期間のうち、いずれかのサブ抑制期間において対象供給を抑制する者の少なくともいずれか一方である。
【０２９１】
次に、電力管理装置１０１は、抑制レベルおよびソートキーを発電事業者ごとに算出する（ステップＳ１１４）。
【０２９２】
次に、電力管理装置１０１は、算出した抑制レベルおよびソートキーを含む候補リストＬｉｓｔ１を作成し、作成した候補リストＬｉｓｔ１を当該ソートキーでソートする。そして、電力管理装置１０１は、ソート後の候補リストＬｉｓｔ１を含む画面Ｓｃ２を表示装置１１１に表示する（ステップＳ１１６）。
【０２９３】
次に、電力管理装置１０１は、ユーザにより決定ボタンＢｆがクリックされると、ユーザによるチェックボックスＣＢに対する操作に基づいて対象者を決定する（ステップＳ１１８）。
【０２９４】
次に、電力管理装置１０１は、候補リストＬｉｓｔ１の内容に基づいて単位抑制指令を作成し、作成した単位抑制指令を対象者の運用する発電制御装置２０２へ送信する（ステップＳ１２０）。
【０２９５】
次に、発電制御装置２０２は、電力管理装置１０１から単位抑制指令を受信すると、受信した単位抑制指令に従って、自己が管理する発電装置２０３の対象供給を抑制するための制御を行う（ステップＳ１２２）。
【０２９６】
次に、発電制御装置２０２は、発電装置２０３において抑制された電力量を示す抑制量情報を作成し、作成した抑制量情報を電力管理装置１０１へ送信する（ステップＳ１２４）。ここで、発電制御装置２０２は、たとえば、発電装置２０３において発電された電力量を示す電力メータの値に基づいて抑制量情報を作成する。
【０２９７】
次に、電力管理装置１０１は、発電制御装置２０２から抑制量情報を受信すると、受信した抑制量情報を系統側管理装置１５１へ送信する。系統側管理装置１５１は、電力管理装置１０１から抑制量情報を受信すると、受信した抑制量情報に基づいて発電事業者の対象供給の抑制実績を評価する（ステップＳ１２６）。
【０２９８】
図１１は、本発明の第１の実施の形態に係る電力管理システムにおける表示装置が画面の表示を行う際の動作手順を定めたフローチャートである。
【０２９９】
図１１を参照して、まず、表示装置１１１は、電力管理装置１０１から画面情報Ｓｃｉ１またはＳｃｉ２を受信する（ステップＳ１５２）。
【０３００】
次に、表示装置１１１は、受信した画面情報Ｓｃｉ１またはＳｃｉ２を用いて画面Ｓｃ１またはＳｃ２を表示する（ステップＳ１５４）。
【０３０１】
図１２は、本発明の第１の実施の形態に係る電力管理システムにおける発電制御装置が発電装置の制御を行う際の動作手順を定めたフローチャートである。
【０３０２】
図１２を参照して、まず、発電制御装置２０２は、電力管理装置１０１から単位抑制指令を受信する（ステップＳ１７２）。
【０３０３】
次に、発電制御装置２０２は、受信した単位抑制指令に従って、自己が管理する発電装置２０３の対象供給を抑制するための制御を行う（ステップＳ１７４）。
【０３０４】
なお、本発明の第１の実施の形態に係る電力管理システム３０１は、発電制御装置２０２を３つ備える構成であるとしたが、これに限定するものではない。電力管理システム３０１は、１つの発電制御装置２０２を備える構成であってもよい。
【０３０５】
また、本発明の第１の実施の形態に係る電力管理装置では、抑制指令Ｃ１および抑制指令Ｃ２が異なる構成であるとしたが、これに限定するものではない。具体的には、通信部２１が、情報作成部２２によって作成された出力抑制情報に基づいて、抑制指令Ｃ２すなわち単位抑制指令を、対象供給の抑制を行うべき１または複数の対象者に通知する構成に限らず、通信部２１が、出力抑制情報に基づいて電力系統側からの抑制指令Ｃ１を上記対象者にそのまま通知してもよい。
【０３０６】
ところで、非特許文献１に記載の技術を超えて、各発電事業者に電力供給の抑制に関する内容を適切に割り当てるための技術が求められている。
【０３０７】
より詳細には、たとえば、一般電気事業者が複数の再生可能エネルギー発電事業者に出力制御指示を通知して電力供給の抑制を依頼する場合、各再生可能エネルギー発電事業者に電力供給の抑制に関する内容を公平に割り当てることが望まれる。
【０３０８】
しかしながら、たとえば、「公平性」の概念は、一般電気事業者ごとに異なり、統一された定義がない。したがって、各再生可能エネルギー発電事業者に電力供給の抑制に関する内容を公平に割り当てるための技術が求められている。
【０３０９】
これに対して、本発明の第１の実施の形態に係る電力管理装置では、履歴情報取得部２３は、再生可能エネルギーから電気を生成する発電装置２０３を用いた電力の供給すなわち対象供給について、対象供給の過去の抑制に関する抑制履歴情報を取得する。そして、情報作成部２２は、電力系統側から対象供給の抑制指令Ｃ１を受けて、履歴情報取得部２３によって取得された抑制履歴情報に基づいて、対象供給の抑制に関する内容を示す出力抑制情報を作成する。
【０３１０】
このように、過去の対象供給の抑制実績に基づいて対象供給の抑制に関する内容を決定する構成により、当該抑制実績に応じて対象供給の抑制に関する内容を調整することができるので、発電事業者に対する抑制に関する内容の割り当ての公平性を向上させることができる。したがって、発電事業者に電力供給の抑制に関する内容を適切に割り当てることができる。具体的には、各再生可能エネルギー発電事業者に電力供給の抑制に関する内容を公平に割り当てることができる。
【０３１１】
また、本発明の第１の実施の形態に係る電力管理装置では、情報作成部２２は、対象供給の抑制に関する内容として、対象供給を抑制する複数の候補者を示す出力抑制情報を作成する。
【０３１２】
このような構成により、複数の候補者の中から対象供給の抑制を行うべき対象者を選択する機能を提供することができる。
【０３１３】
また、本発明の第１の実施の形態に係る電力管理装置では、情報作成部２２は、抑制履歴情報に基づいて、対象供給の抑制を行うべき１または複数の対象者を決定し、対象供給の抑制に関する内容として、決定した対象者に対する対象供給の抑制指令Ｃ２を示す出力抑制情報を作成する。
【０３１４】
このような構成により、過去の対象供給の抑制実績に基づいて、適当な対象者を決定できるとともに、決定した対象者に応じた内容の抑制指令Ｃ２を作成することができる。
【０３１５】
また、本発明の第１の実施の形態に係る電力管理装置では、通信部２１は、情報作成部２２によって作成された出力抑制情報に基づいて、対象供給の抑制指令Ｃ２を、対象供給の抑制を行うべき１または複数の対象者に通知する。そして、抑制履歴情報は、通信部２１によって対象者に通知された過去の抑制指令Ｃ２の内容を含む。
【０３１６】
このような構成により、過去に対象者に通知した対象供給の抑制指令Ｃ２の内容を反映した、抑制に関するより公平な内容の割り当てを行うことができる。
【０３１７】
また、本発明の第１の実施の形態に係る電力管理装置では、情報作成部２２は、抑制履歴情報に基づいて、対象供給の抑制依頼時間の累積値または対象供給の抑制依頼日数の累積値が所定のしきい値以上である者を、対象供給を抑制する対象者から除外する。
【０３１８】
このような構成により、対象供給の抑制を比較的依頼していない者に対象供給の抑制を行わせる可能性を高めることができるので、抑制に関するより公平な内容の割り当てを行うことができる。
【０３１９】
また、本発明の第１の実施の形態に係る電力管理装置では、情報作成部２２は、対象供給の過去の抑制依頼時間、対象供給の過去の抑制量、対象供給の過去の抑制回数、対象供給の過去の抑制依頼日数、発電装置２０３の初期コスト、発電装置２０３の導入期間の長さ、発電装置２０３に関する収支、および対象供給の予測量のうちの少なくともいずれか１つに基づいて出力抑制情報を作成する。
【０３２０】
このような構成により、過去の対象供給の抑制実績を適切に表す数値、または対象供給の予測値を用いて抑制に関するより公平な内容の割り当てを行うことができる。
【０３２１】
また、本発明の第１の実施の形態に係る電力管理装置では、情報作成部２２は、対象供給の抑制を許容する許容期間ＰＰ、および対象供給の抑制を許容しない非許容期間ＮＰＰの少なくともいずれか一方に基づいて出力抑制情報を作成する。
【０３２２】
このような構成により、対象供給の抑制を受け得る者、たとえば発電事業者の都合を出力抑制情報に反映させる機能を提供することができる。
【０３２３】
また、本発明の第１の実施の形態に係る電力管理装置では、情報作成部２２は、対象供給の抑制依頼時間の累積値または対象供給の抑制依頼日数の累積値の所定の上限値までの残りに基づいて出力抑制情報を作成する。
【０３２４】
このような構成により、対象供給の抑制を比較的依頼していない者に対象供給の抑制を行わせる可能性を高めることができるので、抑制に関するより公平な内容の割り当てを行うことができる。
【０３２５】
また、本発明の第１の実施の形態に係る電力管理装置では、情報作成部２２は、電力系統側からの抑制指令Ｃ１の示す抑制期間ＣＰを複数のサブ抑制期間に分割し、サブ抑制期間ごとの出力抑制情報を作成する。
【０３２６】
このように、抑制期間ＣＰを分割したサブ抑制期間を設け、当該サブ抑制期間ごとの出力抑制情報を作成する構成により、対象供給の抑制に関する内容の自由度を高めることができるので、抑制に関するより公平な内容の割り当てを行うことができる。
【０３２７】
また、本発明の第１の実施の形態に係る電力管理装置では、情報作成部２２は、複数のサブ抑制期間のうち、いずれかのサブ抑制期間において対象供給を抑制する者を、他のサブ抑制期間において対象供給を抑制する対象者から除外する。
【０３２８】
このような構成により、対象供給の抑制を複数のサブ抑制期間において行う者が発生することを回避することができるので、抑制に関するより公平な内容の割り当てを行うことができる。
【０３２９】
また、本発明の第１の実施の形態に係る電力管理装置では、情報作成部２２は、対象供給の抑制に関する内容として、発電装置２０３の発電容量を基準とした抑制レベルを示す出力抑制情報を作成する。
【０３３０】
このように、発電容量を基準とする構成により、天候等の発電条件に左右されない安定した基準を用いることができるので、抑制に関する内容を安定かつ簡易に決定することができる。
【０３３１】
また、本発明の第１の実施の形態に係る発電制御装置では、通信部８１は、再生可能エネルギーから電気を生成する発電装置２０３を用いた電力の供給すなわち対象供給について、対象供給の過去の抑制に関する抑制履歴情報に基づいて作成された、対象供給の抑制に関する内容を示す出力抑制情報を取得する。そして、制御部８２は、通信部８１によって取得された出力抑制情報に基づいて発電装置２０３を制御する。
【０３３２】
このように、過去の対象供給の抑制実績に基づいて対象供給の抑制に関する内容が決定される構成により、当該抑制実績に応じて対象供給の抑制に関する内容を調整することができるので、発電事業者に対する抑制に関する内容の割り当ての公平性を向上させることができる。したがって、発電事業者に電力供給の抑制に関する内容を適切に割り当てることができる。具体的には、各再生可能エネルギー発電事業者に電力供給の抑制に関する内容を公平に割り当てることができる。
【０３３３】
また、本発明の第１の実施の形態に係る表示装置では、画面情報取得部７１は、再生可能エネルギーから電気を生成する発電装置２０３を用いた電力の供給すなわち対象供給について、対象供給の過去の抑制に関する抑制履歴情報に基づいて作成された、対象供給の抑制に関する内容を示す出力抑制情報に基づく画面情報Ｓｃｉ１，Ｓｃｉ２を取得する。そして、制御部７２は、画面情報取得部７１によって取得された画面情報Ｓｃｉ１，Ｓｃｉ２の内容を表示する。
【０３３４】
このように、過去の対象供給の抑制実績に基づいて対象供給の抑制に関する内容が決定される構成により、当該抑制実績に応じて対象供給の抑制に関する内容を調整することができるので、発電事業者に対する抑制に関する内容の割り当ての公平性を向上させることができる。したがって、発電事業者に電力供給の抑制に関する内容を適切に割り当てることができる。具体的には、各再生可能エネルギー発電事業者に電力供給の抑制に関する内容を公平に割り当てることができる。
【０３３５】
次に、本発明の他の実施の形態について図面を用いて説明する。なお、図中同一または相当部分には同一符号を付してその説明は繰り返さない。
【０３３６】
＜第２の実施の形態＞
本実施の形態は、第１の実施の形態に係る電力管理システムと比べて単位抑制指令を自動で作成する電力管理システムに関する。以下で説明する内容以外は第１の実施の形態に係る電力管理システムと同様である。
【０３３７】
図１３は、本発明の第２の実施の形態に係る電力管理システムの構成を示す図である。
【０３３８】
図１３を参照して、電力管理システム３０２は、本発明の第１の実施の形態に係る電力管理システム３０１と比べて、電力管理装置１０１および表示装置１１１の代わりに、電力管理装置１０２を備える。
【０３３９】
図１４は、本発明の第２の実施の形態に係る電力管理システムにおける電力管理装置の構成を示す図である。
【０３４０】
図１４を参照して、電力管理装置１０２は、本発明の第１の実施の形態に係る電力管理装置と比べて、情報作成部２２、操作情報取得部２５および表示制御部２６の代わりに、情報作成部６２を備える。
【０３４１】
電力管理装置１０２における情報作成部６２の動作は、図６に示す情報作成部２２と同様である。
【０３４２】
通信部２１は、たとえば、系統側管理装置１５１から抑制指令Ｃ１を受信すると、受信した抑制指令Ｃ１を情報作成部６２へ出力する。
【０３４３】
図１５は、本発明の第２の実施の形態に係る電力管理装置における情報作成部の構成を示す図である。
【０３４４】
図１５を参照して、情報作成部６２は、条件設定部５１と、検索処理部５３と、単位抑制指令作成部５４とを含む。
【０３４５】
情報作成部６２における条件設定部５１、検索処理部５３および単位抑制指令作成部５４の動作は、図７に示す条件設定部４１、検索処理部４３および単位抑制指令作成部４４とそれぞれ同様である。
【０３４６】
図１６は、本発明の第２の実施の形態に係る情報作成部が作成する対象者リストの一例を示す図である。
【０３４７】
図１４〜図１６を参照して、情報作成部６２は、電力系統側から抑制指令Ｃ１を受けて、履歴情報取得部２３によって取得された抑制履歴情報に基づいて、対象供給の抑制に関する内容を示す出力抑制情報、たとえば、図１６に示す対象者リストＬｉｓｔ２を作成する。
【０３４８】
［検索条件設定処理］
情報作成部６２における条件設定部５１は、たとえば、通信部２１から抑制指令Ｃ１を受けると、受けた抑制指令Ｃ１に基づいて、検索条件を設定する検索条件設定処理を行う。
【０３４９】
具体的には、条件設定部５１は、たとえば、所定のアルゴリズムにより、抑制指令Ｃ１に基づいて、サブ抑制期間、ソートキー、発電容量範囲、サブエリアおよび実績集計期間を自動で設定する。条件設定部５１は、たとえば、設定した検索条件を抑制指令Ｃ１とともに検索処理部５３へ出力する。
【０３５０】
［対象者決定処理］
検索処理部５３は、条件設定部５１から検索条件および抑制指令Ｃ１を受けると、履歴情報取得部２３へ履歴情報取得命令を出力し、当該履歴情報取得命令の応答としてたとえば図５に示す抑制履歴情報Ｈｔｂｌを履歴情報取得部２３から受ける。
【０３５１】
検索処理部４３は、たとえば、抑制履歴情報Ｈｔｂｌおよび検索条件に基づいて、対象供給を抑制する複数の候補者、すなわち対象供給の抑制の依頼先とすべき発電事業者の候補を検索する。
【０３５２】
たとえば、検索処理部５３は、データベース１１２における図４に示す発電事業者情報Ｐｔｂｌに基づいて、発電容量範囲およびサブエリアの検索条件に合致する発電事業者を特定し、特定した発電事業者の名称を含む候補者グループＧｒ１を作成する。
【０３５３】
検索処理部５３は、たとえば、抑制履歴情報Ｈｔｂｌに基づいて、対象供給の抑制依頼時間の累積値または対象供給の抑制依頼日数の累積値が所定のしきい値以上である者を、対象供給を抑制する対象者から除外する。
【０３５４】
また、検索処理部５３は、たとえば、複数のサブ抑制期間のうち、いずれかのサブ抑制期間において対象供給を抑制する者を、他のサブ抑制期間において対象供給を抑制する対象者から除外する。
【０３５５】
また、検索処理部５３は、たとえば、対象供給の抑制に関する内容として、発電装置２０３の発電容量を基準とした抑制レベルを示す出力抑制情報を作成する。
【０３５６】
具体的には、検索処理部５３は、たとえば、候補者グループＧｒ１に含まれる発電事業者に対して、発電装置２０３の発電容量を基準とした抑制レベルを割り当てる。
【０３５７】
また、検索処理部５３は、たとえば、対象供給の過去の抑制依頼時間、対象供給の過去の抑制量、対象供給の過去の抑制回数、対象供給の過去の抑制依頼日数、発電装置２０３の初期コスト、発電装置２０３の導入期間の長さ、発電装置２０３に関する収支、および対象供給の予測量のうちの少なくともいずれか１つに基づいて出力抑制情報、具体的にはソートキーを作成する。
【０３５８】
また、情報作成部６２は、たとえば、通信部２１によって取得された許容期間ＰＰおよび非許容期間ＮＰＰの少なくともいずれか一方に基づいて出力抑制情報を作成する。
【０３５９】
検索処理部５３は、たとえば、対象供給の抑制に関する内容として、対象供給を抑制する複数の候補者を示す出力抑制情報を作成する。また、検索処理部５３は、たとえば、サブ抑制期間ごとの出力抑制情報を作成する。具体的には、検索処理部５３は、たとえば、候補リストＬｉｓｔ１を出力抑制情報として作成する。
【０３６０】
より詳細には、検索処理部５３は、たとえば、候補者グループＧｒ１に含まれる各発電事業者の名称ごとに、当該名称、抑制電力および抑制レベル、ならびにソートキーを含む行を有する候補リストＬｉｓｔ１を作成し、作成した候補リストＬｉｓｔ１における各行を当該ソートキーで昇順または降順にソートする。
【０３６１】
情報作成部６２は、たとえば、抑制履歴情報Ｈｔｂｌに基づいて、対象供給の抑制を行うべき１または複数の対象者を決定し、対象供給の抑制に関する内容として、決定した対象者に対する抑制指令Ｃ２を示す出力抑制情報、具体的には単位抑制指令を作成する。
【０３６２】
具体的には、検索処理部５３は、たとえば、ソートした候補リストＬｉｓｔ１の上位の候補者から順に選択し、選択した候補者が抑制する予定の抑制電力量を合計する。検索処理部５３は、たとえば、合計した抑制電力量が抑制指令Ｃ１の示す総抑制電力量に基づくしきい値を超えるまで候補者の選択を繰り返し行う。
【０３６３】
ここで、当該しきい値は、たとえばサブ抑制期間に対応して設定されている。より詳細には、たとえば、抑制指令Ｃ１の示す抑制期間ＣＰを分割した各サブ抑制期間に対応して複数のしきい値が設定される。当該複数のしきい値の合計は、たとえば抑制指令Ｃ１の示す総抑制電力量に一致する。
【０３６４】
検索処理部５３は、たとえば、候補者の選択が完了すると、選択した候補者を対象者として決定する。そして、検索処理部５３は、ソートした候補リストＬｉｓｔ１において、対象者として決定されなかった候補者を削除することにより対象者リストＬｉｓｔ２を作成し、作成した対象者リストＬｉｓｔ２をサブ抑制期間とともに単位抑制指令作成部５４へ出力する。
【０３６５】
単位抑制指令作成部５４は、たとえば、検索処理部５３から対象者リストＬｉｓｔ２およびサブ抑制期間を受けると、受けた対象者リストＬｉｓｔ２およびサブ抑制期間に基づいて単位抑制指令を作成する。
【０３６６】
具体的には、単位抑制指令作成部５４は、たとえば、対象者リストＬｉｓｔ２における各行の内容から発電事業者の名称および抑制レベルを取得し、取得した名称および抑制レベル、ならびにサブ抑制期間を含み、かつ当該名称の発電事業者を宛先とした単位抑制指令を作成する。単位抑制指令作成部５４は、たとえば、作成した１または複数の単位抑制指令を通信部２１へ出力する。
【０３６７】
通信部２１は、たとえば、情報作成部６２によって作成された出力抑制情報に基づいて、抑制指令Ｃ２すなわち単位抑制指令を、対象供給の抑制を行うべき１または複数の対象者に通知する。
【０３６８】
［動作］
図１７は、本発明の第２の実施の形態に係る電力管理システムにおける対象供給の抑制処理のシーケンスの一例を示す図である。
【０３６９】
図１７を参照して、まず、系統側管理装置１５１は、抑制指令Ｃ１を電力管理装置１０２へ送信する（ステップＳ２０２）。
【０３７０】
次に、電力管理装置１０２は、系統側管理装置１５１から抑制指令Ｃ１を受信すると、受信した抑制指令Ｃ１に基づいて検索条件を設定する（ステップＳ２０４）。
【０３７１】
次に、電力管理装置１０２は、データベース１１２から抑制履歴情報Ｈｔｂｌを取得する（ステップＳ２０６）。
【０３７２】
次に、電力管理装置１０２は、検索条件およびデータベース１１２における発電事業者情報Ｐｔｂｌに基づいて候補者グループＧｒ１を作成する（ステップＳ２０８）。
【０３７３】
次に、電力管理装置１０２は、除外対象者を候補者グループＧｒ１から除外する除外処理を行う（ステップＳ２１０）。
【０３７４】
次に、電力管理装置１０２は、抑制レベルおよびソートキーを発電事業者ごとに算出する（ステップＳ２１２）。
【０３７５】
次に、電力管理装置１０２は、算出した抑制レベルおよびソートキーを含む候補リストＬｉｓｔ１を作成し、作成した候補リストＬｉｓｔ１を当該ソートキーでソートする（ステップＳ２１４）。
【０３７６】
次に、電力管理装置１０２は、ソートした候補リストＬｉｓｔ１の上位の候補者から順に選択し、候補者の選択が完了すると、選択した候補者を対象者として決定する。そして、電力管理装置１０２は、ソートした候補リストＬｉｓｔ１において、対象者として決定されなかった候補者を削除することにより対象者リストＬｉｓｔ２を作成する（ステップＳ２１６）。
【０３７７】
次に、電力管理装置１０２は、対象者リストＬｉｓｔ２の内容に基づいて単位抑制指令を作成し、作成した単位抑制指令を対象者の運用する発電制御装置２０２へ送信する（ステップＳ２１８）。
【０３７８】
ステップＳ２２０〜Ｓ２２４の動作は、図１０に示すステップＳ１２２〜Ｓ１２６の動作と同様である。
【０３７９】
なお、本発明の第２の実施の形態に係る電力管理装置では、通信部２１は、情報作成部６２によって作成された出力抑制情報に基づいて、抑制指令Ｃ２すなわち単位抑制指令を、対象供給の抑制を行うべき１または複数の対象者に通知する構成であるとしたが、これに限定するものではない。通信部２１は、出力抑制情報に基づいて電力系統側からの抑制指令Ｃ１を上記対象者にそのまま通知する構成であってもよい。
【０３８０】
その他の構成および動作は第１の実施の形態に係る電力管理システムと同様であるため、ここでは詳細な説明を繰り返さない。
【０３８１】
次に、本発明の他の実施の形態について図面を用いて説明する。なお、図中同一または相当部分には同一符号を付してその説明は繰り返さない。
【０３８２】
＜第３の実施の形態＞
本実施の形態は、第１の実施の形態および第２の実施の形態に係る電力管理システムと比べて異なるソートキーを使用可能な電力管理システムに関する。以下で説明する内容以外は第１の実施の形態および第２の実施の形態に係る電力管理システムと同様である。
【０３８３】
［検索条件設定画面］
図１８は、本発明の第３の実施の形態に係る電力管理システムにおいて、表示装置に表示された画面の一例を示す図である。
【０３８４】
図１８を参照して、表示装置１１１には、たとえば検索条件を設定するための画面Ｓｃ１１が表示されている。なお、以下で説明する内容以外は図２に示す画面Ｓｃ１と同様である。
【０３８５】
（ソートキー）
ドロップダウンリストＤＬｓは、たとえば、ユーザが出力抑制依頼履歴・予測における各項目からソートキーを選択するために用いられる。ソートキーは、たとえば、抑制依頼対象の発電事業者の検索結果をソートするためのキーである。
【０３８６】
具体的には、ドロップダウンリストＤＬｓには、たとえば、「（１）出力抑制依頼時間」、「（２）出力抑制依頼電力量」、「（３）出力抑制依頼回数」、「（４）出力抑制依頼日数」、「（５）サブ抑制期間における予測出力量」、「（６）出力抑制相当価格（実績）」、「（７）出力抑制相当価格（予測）」、「（８）出力抑制未達度」、および「（９）出力抑制達成率」の９個の要素が含まれる。
【０３８７】
「（９）出力抑制達成率」は、たとえば、達成率Ｖ９をそれぞれソートキーに設定するための要素である。
【０３８８】
図１９は、本発明の第３の実施の形態に係る電力管理システムにおける発電制御装置の構成を示す図である。
【０３８９】
図１９を参照して、発電制御装置２０２は、図９に示す発電制御装置２０２と比べて、さらに、発電量情報作成部８５を備える。
【０３９０】
発電量情報作成部８５は、発電装置２０３において発電された電力量を示す電力メータの値をたとえば定期的に取得し、取得した電力量および取得時刻を含む電力量情報を作成する。そして、発電量情報作成部８５は、作成した電力量情報を通信部８１経由で電力管理装置１０１へ送信する。電力量情報に含まれる電力量は、たとえば１分間ごとの発電量［Ｗｈ］である。
【０３９１】
また、制御部８２は、たとえば、対象供給を抑制するための、発電装置２０３の制御内容を抑制量情報作成部８４および発電量情報作成部８５へ出力する。
【０３９２】
発電量情報作成部８５は、たとえば、発電装置２０３の対象供給の抑制制御を制御部８２が開始した時刻を電力量情報に含めて電力管理装置１０１へ送信する。すなわち、電力量情報は、対象供給の過去の抑制に関する抑制履歴情報の他の例である。なお、電力量情報は、上記のような取得時刻および開始時刻を含まなくてもよい。
【０３９３】
電力管理装置１０１における情報作成部２２は、各発電制御装置２０２から電力量情報を通信部２１経由で受信し、データベース１１２に保存する。
【０３９４】
履歴情報取得部２３は、情報作成部２２から履歴情報取得命令を受けて、抑制履歴情報Ｈｔｂｌおよび電力量情報の少なくともいずれか一方をデータベース１１２から取得して情報作成部２２へ出力する。
【０３９５】
より詳細には、情報作成部２２における検索処理部４３は、条件設定部４１から検索条件および抑制指令Ｃ１を受けると、履歴情報取得部２３へ履歴情報取得命令を出力し、当該履歴情報取得命令の応答として抑制履歴情報Ｈｔｂｌおよび電力量情報の少なくともいずれか一方を履歴情報取得部２３から受ける。
【０３９６】
検索処理部４３は、たとえば、抑制履歴情報Ｈｔｂｌおよび電力量情報の少なくともいずれか一方、ならびに検索条件に基づいて、対象供給を抑制する複数の候補者、すなわち対象供給の抑制の依頼先とすべき発電事業者の候補を検索する候補検索処理を行う。
【０３９７】
たとえば、検索処理部４３は、データベース１１２における図４に示す発電事業者情報Ｐｔｂｌに基づいて、検索条件に合致する発電事業者の名称を取得する。
【０３９８】
より詳細には、検索処理部４３は、発電事業者情報Ｐｔｂｌを参照しながら、検索条件の示す「５０〜５００ｋＷ」の発電容量を有し、かつ所在地が「第１エリア」の発電事業者を特定し、特定した発電事業者の名称を含む候補者グループＧｒ１を作成する。
【０３９９】
［ソートキーの算出］
検索処理部４３は、たとえば、対象供給の過去の抑制依頼に対する達成度合いに基づいて出力抑制情報、具体的にはソートキーを作成する。
【０４００】
ユーザがソートキーとして「（９）出力抑制達成率」を選択した場合、検索処理部４３は、対象供給の過去の抑制依頼に対する実績に基づいて、候補者グループＧｒ１に含まれる発電事業者のソートに用いるソートキーを算出する。
【０４０１】
より詳細には、検索処理部４３は、たとえば、データベース１１２から取得した抑制履歴情報Ｈｔｂｌおよび電力量情報に基づいて、対応の発電事業者について、対象供給の過去の抑制依頼に対する達成度合いを算出する。具体的には、検索処理部４３は、抑制履歴情報Ｈｔｂｌおよび電力量情報を参照することにより、過去に通知した単位抑制指令に基づく想定発電量に対する、サブ抑制期間における実際の発電量の割合、すなわち達成率Ｖ９を、発電事業者ごとに算出する。達成率Ｖ９は、たとえば、実績集計期間である「今年度」に含まれる単位抑制指令にわたる、想定発電量に対する実際の発電量の割合の平均値である。
【０４０２】
また、検索処理部４３は、積算依頼時間Ｖ１、出力抑制量Ｖ２、積算依頼回数Ｖ３、積算依頼日数Ｖ４、予測出力量Ｖ５、実績価格Ｖ６、予測価格Ｖ７、未達度Ｖ８および達成率Ｖ９のうちの２種類以上のソートキーを作成する構成であってもよい。
【０４０３】
表示装置１１１において、画面情報取得部７１は、第１の実施の形態〜第３の実施の形態において説明した、データベース１１２の保存情報およびソートキー等の各種情報の少なくともいずれか１つに基づいて作成された、対象供給の抑制に関する内容を示す抑制管理情報に基づく画面情報を取得する。具体的には、抑制管理情報には、出力抑制情報のうちの候補リストＬｉｓｔ１が含まれる。
【０４０４】
たとえば、電力管理装置１０１における検索処理部４３は、発電装置２０３の初期コスト、発電装置２０３の導入期間の長さ、発電装置２０３に関する収支、対象供給の予測量、および対象供給の過去の抑制制御に対する達成度合いのうちの少なくともいずれか１つに基づいて候補リストＬｉｓｔ１を作成する。
【０４０５】
画面情報取得部７１は、候補リストＬｉｓｔ１および検索条件に基づいて電力管理装置１０１の画面情報作成部４２によって作成された画面情報を取得する。
【０４０６】
制御部７２は、画面情報取得部７１によって取得された画面情報の内容を表示する。
【０４０７】
発電制御装置２０２において、通信部８１は、第１の実施の形態〜第３の実施の形態において説明した、データベース１１２の保存情報およびソートキー等の各種情報の少なくともいずれか１つに基づいて作成された、対象供給の抑制に関する内容を示す抑制管理情報を取得する。具体的には、抑制管理情報には、出力抑制情報のうちの単位抑制指令が含まれる。
【０４０８】
たとえば、電力管理装置１０１における単位抑制指令作成部４４は、発電装置２０３の初期コスト、発電装置２０３の導入期間の長さ、発電装置２０３に関する収支、対象供給の予測量、および対象供給の過去の抑制制御に対する達成度合いのうちの少なくともいずれか１つに基づいて単位抑制指令を作成する。
【０４０９】
通信部８１は、単位抑制指令作成部４４によって作成された単位抑制指令を取得する。
【０４１０】
制御部８２は、通信部８１によって取得された単位抑制指令に基づいて発電装置２０３を制御する。
【０４１１】
なお、本発明の第１から第３の実施の形態に係る電力管理装置は、発電制御装置２０２を経由することなく発電装置２０３を直接管理してもよい。
【０４１２】
以上のように、本発明の第３の実施の形態に係る電力管理装置では、情報作成部２２は、対象供給の過去の抑制依頼に対する達成度合い、および対象供給の過去の抑制制御に対する達成度合いの少なくともいずれか一方に基づいて出力抑制情報を作成する。
【０４１３】
このような構成により、過去の対象供給の抑制実績、または発電装置２０３の性能を用いて、抑制に関するより公平な内容の割り当てを行うことができる。具体的には、達成率Ｖ９の高い発電事業者を優先的に抑制依頼対象として選択することができるため、所望の抑制量をより高い確度で実現することが可能となる。また、達成率Ｖ９の低い発電事業者を抑制依頼対象から除外することにより、所望の抑制量をより高い確度で実現することが可能となる。
【０４１４】
また、本発明の第３の実施の形態に係る電力管理装置では、情報作成部２２は、再生可能エネルギーから電気を生成する発電装置２０３を用いた電力の供給について、電力系統側から対象供給の抑制指令Ｃ１を受けて、発電装置２０３の初期コスト、発電装置２０３の導入期間の長さ、発電装置２０３に関する収支、対象供給の予測量、および対象供給の過去の抑制制御に対する達成度合いのうちの少なくともいずれか１つに基づいて、対象供給の抑制に関する内容を示す出力抑制情報を作成する。
【０４１５】
また、本発明の第３の実施の形態に係る発電制御装置では、通信部８１は、再生可能エネルギーから電気を生成する発電装置２０３を用いた電力の供給について、発電装置２０３の初期コスト、発電装置２０３の導入期間の長さ、発電装置２０３に関する収支、対象供給の予測量、および対象供給の過去の抑制制御に対する達成度合いのうちの少なくともいずれか１つに基づいて作成された、対象供給の抑制に関する内容を示す出力抑制情報を取得する。そして、制御部８２は、通信部８１によって取得された出力抑制情報に基づいて発電装置２０３を制御する。
【０４１６】
また、本発明の第３の実施の形態に係る表示装置では、画面情報取得部７１は、再生可能エネルギーから電気を生成する発電装置２０３を用いた電力の供給について、発電装置２０３の初期コスト、発電装置２０３の導入期間の長さ、発電装置２０３に関する収支、対象供給の予測量、および対象供給の過去の抑制制御に対する達成度合いのうちの少なくともいずれか１つに基づいて作成された、対象供給の抑制に関する内容を示す出力抑制情報に基づく画面情報を取得する。そして、制御部７２は、画面情報取得部７１によって取得された画面情報の内容を表示する。
【０４１７】
このように、発電装置２０３に関するコスト、使用状況および性能等に関する数値、対象供給の予測値、または制御依頼に対する達成度合いに基づいて対象供給の抑制に関する内容が決定される構成により、このような数値に応じて対象供給の抑制に関する内容を調整することができるので、発電事業者に対する抑制に関する内容の割り当ての公平性を向上させることができる。したがって、発電事業者に電力供給の抑制に関する内容を適切に割り当てることができる。具体的には、各再生可能エネルギー発電事業者に電力供給の抑制に関する内容を公平に割り当てることができる。
【０４１８】
その他の構成および動作は第１の実施の形態および第２の実施の形態に係る電力管理システムと同様であるため、ここでは詳細な説明を繰り返さない。
【０４１９】
次に、本発明の他の実施の形態について図面を用いて説明する。なお、図中同一または相当部分には同一符号を付してその説明は繰り返さない。
【０４２０】
＜第４の実施の形態＞
上述した第１から第３の実施の形態では、発電装置の設けられた施設における電力供給の制御を行う電力管理システムについて説明した。これに対して、第４の実施の形態では、電力需要施設における電力需要の制御を行う電力管理システムについて説明する。以下で説明する内容以外は第１から第３の実施の形態に係る電力管理システムと同様である。
【０４２１】
［電力管理システム］
図２０は、本発明の第４の実施の形態に係る電力管理システムの構成を示す図である。
【０４２２】
図２０を参照して、電力管理システム３０３は、電力管理装置１０３と、表示装置１１１と、データベース１１２と、系統側管理装置１５１と、３つの制御装置２０４と、９つの負荷装置２０５とを備える。
【０４２３】
図２０では、３つの制御装置２０４を代表的に示しているが、さらに多数または少数の制御装置２０４が設けられてもよい。また、制御装置２０４に対応して３つの負荷装置２０５が設けられているが、１つ、２つ、または４つ以上の負荷装置２０５が１つの制御装置２０４に対応して設けられてもよい。
【０４２４】
制御装置２０４および負荷装置２０５は、たとえば、電力会社から電力の供給を受けるビル、工場または一般家庭等の電力需要施設において用いられる。制御装置２０４は、電力需要施設ごとに１つ設けられてもよいし、電力需要施設ごとに複数設けられてもよい。電力会社は、たとえば発電事業者または電力小売り事業者である。
【０４２５】
系統側管理装置１５１は、電力の需給が逼迫する場合、または電力の需給が逼迫するおそれがある場合において、電力需要を制御するための指令、すなわち消費電力量を抑制するための指令である制御指令（第１制御指令）Ｃ３を電力管理装置１０３へ送信する。
【０４２６】
ここで、制御指令Ｃ３には、たとえば、電力需要を制御する対象期間（以下、制御期間とも称する。）の開始タイミングおよび長さ、ならびに電力需要の制御により抑制される総抑制電力量および電力需要の制御を行う対象エリア等が含まれる。
【０４２７】
電力管理装置１０３は、１または複数の制御装置２０４と通信を行なうことにより、当該制御装置２０４が設けられた電力需要施設における電力需要を管理する。
【０４２８】
具体的には、電力管理装置１０３は、たとえば、データベース１１２に含まれる制御履歴情報を取得する。制御履歴情報には、たとえば、過去に電力需要の制御を行った対象者に通知された制御指令（第２制御指令）Ｃ４の内容の履歴が含まれる。
【０４２９】
そして、電力管理装置１０３は、電力系統側から受けた制御指令Ｃ３と、データベース１１２から取得した制御履歴情報とに基づいて、電力需要の制御に関する内容を示す制御情報、具体的には制御指令Ｃ４を作成する。
【０４３０】
電力管理装置１０３は、作成した制御指令Ｃ４を、制御を依頼する電力需要施設の制御装置２０４へ送信する。
【０４３１】
制御装置２０４は、電力管理装置１０３から制御指令Ｃ４を受信すると、当該制御指令Ｃ４に基づいて電力需要施設における１または複数の負荷装置２０５を制御することにより、電力需要施設における消費電力量を抑制する。負荷装置２０５は、たとえば、空調機、ヒートポンプまたは蓄電池である。
【０４３２】
具体的には、制御装置２０４は、たとえば、冷房で動作している空調機の設定温度を上げることにより消費電力量を抑制する。また、制御装置２０４は、たとえば、ヒートポンプの稼働を停止するまたは炊き上げの設定温度を下げることにより消費電力量を抑制する。また、制御装置２０４は、たとえば、蓄電池への充電を停止したり、蓄電池に充電されている電力を放電したりすることにより、消費電力量を抑制する。
【０４３３】
［候補検索処理］
電力管理装置１０３は、データベース１１２から取得した制御履歴情報およびユーザにより設定された検索条件に基づいて、電力需要の制御の依頼先とすべき電力需要施設の候補を検索するための候補検索処理を行う。
【０４３４】
データベース１１２は、複数の電力需要施設の名称を示す情報を含む。電力管理装置１０３は、検索条件に合致する電力需要施設の名称を、データベース１１２から取得する。
【０４３５】
より詳細には、電力管理装置１０３は、たとえば、制御履歴情報に基づいて、電力需要の過去の制御依頼時間、電力需要の過去の制御量、電力需要の過去の制御回数、電力需要の過去の制御依頼日数、および、電力需要の過去の制御依頼に対する達成度合いのうちの少なくともいずれか１つに基づいて制御情報、具体的にはソートキーを作成する。ここで、制御量は、たとえば、電力需要を制御した際の消費電力量の抑制量である。
【０４３６】
なお、電力管理装置１０３は、たとえば、負荷装置２０５の初期コスト、負荷装置２０５の導入期間の長さ、負荷装置２０５に関する収支、電力需要の予測量、および、電力需要の過去の制御依頼に対する達成度合いのうちの少なくともいずれか１つに基づいてソートキーを作成する構成であってもよい。
【０４３７】
また、電力管理装置１０３は、たとえば、データベース１１２の保存情報およびソートキー等の各種情報の少なくともいずれか１つに基づいて、電力需要を制御する複数の候補を示す制御情報、具体的には候補リストを作成する。
【０４３８】
具体的には、電力管理装置１０３は、たとえば、過去の電力需要の制御依頼時間の累積値または制御依頼日数の累積値が所定のしきい値以上である者を、電力需要を制御する対象者から除外して、候補リスト作成する。
【０４３９】
［単位抑制指令の作成処理］
電力管理装置１０３は、候補リストに基づく画面情報を作成し、作成した画面情報を表示装置１１１へ送信する。
【０４４０】
表示装置１１１は、電力管理装置１０３から受信した画面情報に基づいて、画面情報の内容、すなわち候補リストを表示する。
【０４４１】
ユーザは、表示装置１１１の画面に表示される候補リストから電力需要の制御を依頼する１または複数の対象者を選択し、電力管理装置１０３に対して選択結果の入力のための操作を行う。
【０４４２】
電力管理装置１０３は、ユーザによる操作の内容に基づいて電力需要の制御を依頼する１または複数の対象者を決定する。また、電力管理装置１０３は、たとえば、データベース１１２の保存情報およびソートキー等の各種情報の少なくともいずれか１つに基づいて、決定した対象者に対する制御指令Ｃ４を示す単位抑制指令を作成する。
【０４４３】
その他の構成および動作は第１から第３の実施の形態に係る電力管理システムと同様であるため、ここでは詳細な説明を繰り返さない。
【０４４４】
以上のように、本発明の第１から第３の実施の形態に係る電力管理装置１０１，１０２では、履歴情報取得部２３は、装置すなわち発電装置２０３を用いた電力の供給すなわち対象供給について、対象供給の過去の制御に関する制御履歴情報すなわち抑制履歴情報を取得する。また、情報作成部２２は、電力系統側から対象供給の第１制御指令すなわち抑制指令Ｃ１を受けて、履歴情報取得部２３によって取得された制御履歴情報に基づいて、対象供給の制御に関する内容を示す制御情報すなわち出力抑制情報を作成する。
【０４４５】
また、本発明の第４の実施の形態に係る電力管理装置１０３では、履歴情報取得部２３は、装置すなわち負荷装置２０５を用いた電力の需要についての過去の制御に関する制御履歴情報を取得する。また、情報作成部２２は、電力系統側から電力需要の制御指令Ｃ３を受けて、履歴情報取得部２３によって取得された制御履歴情報に基づいて、電力需要の制御に関する内容を示す制御情報を作成する。
【０４４６】
このように、過去の電力の供給または需要の制御実績に基づいて、装置を用いた電力の供給または需要の制御に関する内容を決定する構成により、当該制御実績に応じて供給または需要の制御に関する内容を調整することができるので、たとえば対象者に対する対象供給または電力需要の制御に関する内容の割り当ての公平性を向上させることができる。したがって、対象者への電力供給または電力需要の制御に関する内容を適切に割り当てることができる。
【０４４７】
また、本発明の第１から第３の実施の形態に係る電力管理装置１０１，１０２では、情報作成部２２は、対象供給の制御に関する内容として、対象供給を制御する複数の候補者を示す制御情報すなわち出力抑制情報を作成する。
【０４４８】
また、本発明の第４の実施の形態に係る電力管理装置１０３では、情報作成部２２は、電力需要の制御に関する内容として、電力需要を制御する複数の候補者を示す制御情報を作成する。
【０４４９】
このような構成により、複数の候補者の中から対象供給または電力需要の制御を行うべき対象者を選択する機能を提供することができる。
【０４５０】
また、本発明の第１から第３の実施の形態に係る電力管理装置１０１，１０２では、情報作成部２２は、制御履歴情報すなわち抑制履歴情報に基づいて、対象供給の制御を行うべき１または複数の対象者を決定し、対象供給の制御に関する内容として、決定した対象者に対する対象供給の第２制御指令すなわち抑制指令Ｃ２を示す制御情報すなわち出力抑制情報を作成する。
【０４５１】
また、本発明の第４の実施の形態に係る電力管理装置１０３では、情報作成部２２は、制御履歴情報に基づいて、電力需要の制御を行うべき１または複数の対象者を決定し、電力需要の制御に関する内容として、決定した対象者に対する電力需要の制御指令Ｃ４を示す制御情報を作成する。
【０４５２】
このような構成により、過去の対象供給または電力需要の制御実績に基づいて、適当な対象者を決定できるとともに、決定した対象者に応じた内容の制御指令を作成することができる。
【０４５３】
また、本発明の第１から第３の実施の形態に係る電力管理装置１０１，１０２では、通信部２１は、情報作成部２２によって作成された制御情報すなわち出力抑制情報に基づいて、対象供給の第２制御指令すなわち抑制指令Ｃ２を、対象供給の制御を行うべき１または複数の対象者に通知する。また、制御履歴情報すなわち抑制履歴情報は、通信部２１によって対象者に通知された過去の第２制御指令すなわち抑制指令Ｃ２の内容を含む。
【０４５４】
また、本発明の第４の実施の形態に係る電力管理装置１０３では、通信部２１は、情報作成部２２によって作成された制御情報に基づいて、電力需要の制御指令Ｃ４を、電力需要の制御を行うべき１または複数の対象者に通知する。また、制御履歴情報は、通信部２１によって対象者に通知された過去の制御指令Ｃ４の内容を含む。
【０４５５】
このような構成により、過去に対象者に通知した対象供給または電力需要の制御指令の内容を反映した、たとえばより公平な制御に関する内容の割り当てを行うことができる。
【０４５６】
また、本発明の第１から第３の実施の形態に係る電力管理装置１０１，１０２では、情報作成部２２は、制御履歴情報すなわち抑制履歴情報に基づいて、対象供給の制御依頼時間すなわち抑制依頼時間の累積値または対象供給の制御依頼日数すなわち抑制依頼日数の累積値が所定のしきい値以上である者を、対象供給を制御する対象者から除外する。
【０４５７】
また、本発明の第４の実施の形態に係る電力管理装置１０３では、情報作成部２２は、制御履歴情報に基づいて、電力需要の制御依頼時間の累積値または電力需要の制御依頼日数の累積値が所定のしきい値以上である者を、電力需要を制御する対象者から除外する。
【０４５８】
このような構成により、対象供給または電力需要の制御を比較的依頼していない者に対象供給または電力需要の制御を行わせる可能性を高めることができるので、たとえばより公平な制御に関する内容の割り当てを行うことができる。
【０４５９】
また、本発明の第１から第３の実施の形態に係る電力管理装置１０１，１０２では、情報作成部２２は、対象供給の過去の制御依頼時間すなわち抑制依頼時間、対象供給の過去の制御量すなわち抑制量、対象供給の過去の制御回数すなわち抑制回数、対象供給の過去の制御依頼日数すなわち抑制依頼日数、および、対象供給の過去の制御依頼すなわち抑制依頼に対する達成度合いのうちの少なくともいずれか１つに基づいて制御情報すなわち出力抑制情報を作成する。
【０４６０】
また、本発明の第４の実施の形態に係る電力管理装置１０３では、情報作成部２２は、電力需要の過去の制御依頼時間、電力需要の過去の制御量、電力需要の過去の制御回数、電力需要の過去の制御依頼日数、および、電力需要の過去の制御依頼に対する達成度合いのうちの少なくともいずれか１つに基づいて制御情報を作成する。
【０４６１】
このような構成により、過去の対象供給または電力需要の制御実績を適切に表す数値、または、対象供給もしくは電力需要の予測値を用いて、たとえば制御に関するより公平な内容の割り当てを行うことができる。
【０４６２】
また、このような構成により、過去の対象供給もしくは電力需要の制御実績、または発電装置の性能を用いて、制御に関するより公平な内容の割り当てを行うことができる。具体的には、達成度合いの高い候補者を優先的に制御依頼対象として選択することができるため、所望の制御量をより高い確度で実現することが可能となる。
【０４６３】
また、本発明の第１から第３の実施の形態に係る電力管理装置１０１，１０２では、情報作成部２２は、発電装置２０３を用いた電力の供給すなわち対象供給について、電力系統側から対象供給の第１制御指令すなわち抑制指令Ｃ１を受けて、発電装置２０３の初期コスト、発電装置２０３の導入期間の長さ、発電装置２０３に関する収支、対象供給の予測量、および、対象供給の過去の制御依頼すなわち抑制依頼に対する達成度合いのうちの少なくともいずれか１つに基づいて、対象供給の制御に関する内容を示す制御情報すなわち出力抑制情報を作成する。
【０４６４】
また、本発明の第４の実施の形態に係る電力管理装置１０３では、情報作成部２２は、負荷装置２０５を用いた電力の需要について、電力系統側から電力需要の制御指令Ｃ３を受けて、負荷装置２０５の初期コスト、負荷装置２０５の導入期間の長さ、負荷装置２０５に関する収支、電力需要の予測量、および、電力需要の過去の制御依頼に対する達成度合いのうちの少なくともいずれか１つに基づいて、電力需要の制御に関する内容を示す制御情報を作成する。
【０４６５】
また、本発明の第１から第３の実施の形態に係る表示装置１１１では、画面情報取得部７１は、発電装置２０３を用いた電力の供給すなわち対象供給について、発電装置２０３の初期コスト、発電装置２０３の導入期間の長さ、発電装置２０３に関する収支、対象供給の予測量、および、対象供給の過去の制御依頼すなわち抑制依頼に対する達成度合いのうちの少なくともいずれか１つに基づいて作成された、対象供給の制御に関する内容を示す制御情報すなわち出力抑制情報に基づく画面情報を取得する。また、制御部７２は、画面情報取得部７１によって取得された画面情報の内容を表示する。
【０４６６】
また、本発明の第４の実施の形態に係る表示装置１１１では、画面情報取得部７１は、負荷装置２０５を用いた電力の需要について、負荷装置２０５の初期コスト、負荷装置２０５の導入期間の長さ、負荷装置２０５に関する収支、電力需要の予測量、および、電力需要の過去の制御依頼に対する達成度合いのうちの少なくともいずれか１つに基づいて作成された、電力需要の制御に関する内容を示す制御情報に基づく画面情報を取得する。また、制御部７２は、画面情報取得部７１によって取得された画面情報の内容を表示する。
【０４６７】
このように、装置に関するコスト、使用状況および性能等に関する数値、対象供給もしくは電力需要の予測値、または制御依頼に対する達成度合いに基づいて対象供給または電力需要の制御に関する内容が決定される構成により、このような数値に応じて対象供給または電力需要の制御に関する内容を調整することができるので、対象者に対する制御に関する内容の割り当ての公平性を向上させることができる。したがって、対象者に電力供給または電力需要の制御に関する内容を適切に割り当てることができる。また、たとえば、達成度合いの低い候補者を制御依頼対象から除外することにより、所望の制御量をより高い確度で実現することが可能となる。
【０４６８】
なお、本発明の第４の実施の形態に係る電力管理システム３０３は、第２の実施の形態に係る電力管理システム３０２のように、単位抑制指令を自動で作成する構成であってもよい。
【０４６９】
なお、本発明の各実施の形態に係る電力管理装置の機能の一部または全部が、クラウドコンピューティングによって提供されてもよい。すなわち、本発明の各実施の形態に係る電力管理装置が、複数のクラウドサーバ等によって構成されてもよい。
【０４７０】
また、本発明の第１の実施の形態〜第４の実施の形態に係る各装置の構成要素および動作のうち、一部または全部を適宜組み合わせることも可能である。
【０４７１】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０４７２】
以上の説明は、以下に付記する特徴を含む。
【０４７３】
［付記１］
装置を用いた電力の供給または需要についての過去の制御に関する制御履歴情報を取得する取得部と、
電力系統側から前記供給または前記需要の第１制御指令を受けて、前記取得部によって取得された前記制御履歴情報に基づいて、前記供給または前記需要の制御に関する内容を示す制御情報を作成する情報作成部とを備え、
前記装置は、空調機、ヒートポンプまたは蓄電池であり、
前記第１制御指令は、前記供給または前記需要を制御する制御期間の開始タイミングおよび長さ、ならびに前記供給または前記需要の総制御量および前記供給または前記需要の制御を行うエリアについての情報を含む、電力管理装置。
【０４７４】
［付記２］
再生可能エネルギーから電気を生成する発電装置を用いた電力の供給について、前記供給の過去の抑制に関する抑制履歴情報を取得する取得部と、
電力系統側から前記供給の抑制指令を受けて、前記取得部によって取得された前記抑制履歴情報に基づいて、前記供給の抑制に関する内容を示す出力抑制情報を作成する情報作成部とを備え、
前記発電装置は、太陽光発電装置または風力発電装置であり、
前記供給の抑制指令は、前記供給を抑制する抑制期間の開始タイミングおよび長さ、ならびに前記供給の総抑制量および前記供給の抑制を行うエリアについての情報を含み、
前記抑制履歴情報は、前記発電装置を運用する事業者の名称、過去の前記抑制期間を分割したサブ期間の開始タイミングおよび長さ、ならびに前記発電容量を基準とした抑制レベルについての情報を含む、電力管理装置。
【符号の説明】
【０４７５】
２１  通信部（通知部および取得部）
２２  情報作成部
２３  履歴情報取得部
２５  操作情報取得部
２６  表示制御部
４１  条件設定部
４２  画面情報作成部
４３  検索処理部
４４  単位抑制指令作成部
５１  条件設定部
５３  検索処理部
５４  単位抑制指令作成部
６２  情報作成部
７１  画面情報取得部
７２  制御部
８１  通信部（取得部）
８２  制御部
８３  電力処理部
８４  抑制量情報作成部
８５  発電量情報作成部
１０１，１０２，１０３  電力管理装置
１１１  表示装置
１１２  データベース
１５１  系統側管理装置
２０２  発電制御装置
２０３  発電装置
２０４  制御装置
２０５  負荷装置
３０１，３０２，３０３  電力管理システム
【図１】
2017011988.tif 000003
【図２】
2017011988.tif 000004
【図３】
2017011988.tif 000005
【図４】
2017011988.tif 000006
【図５】
2017011988.tif 000007
【図６】
2017011988.tif 000008
【図７】
2017011988.tif 000009
【図８】
2017011988.tif 000010
【図９】
2017011988.tif 000011
【図１０】
2017011988.tif 000012
【図１１】
2017011988.tif 000013
【図１２】
2017011988.tif 000014
【図１３】
2017011988.tif 000015
【図１４】
2017011988.tif 000016
【図１５】
2017011988.tif 000017
【図１６】
2017011988.tif 000018
【図１７】
2017011988.tif 000019
【図１８】
2017011988.tif 000020
【図１９】
2017011988.tif 000021
【図２０】
2017011988.tif 000022